(57)【要約】【課題】位相関係および信号レベルの差を信号伝送経路経由で変更可能な放送受信システムを、信号伝送経路に信号増幅器を配設した状態で正常に動作させるための技術を提供すること。【解決手段】放送受信システム１は、分離用フィルタ５０がブースタ４０を迂回させてアンテナ装置１０側へ指令信号を出力するため、制御装置６０から出力された指令信号を確実に移相器１３および減衰器１７に供給できる。また、定電圧回路５６により、指令信号から駆動信号を生成してブースタ４０へ供給できるため、信号伝送経路２２に駆動信号を伝送させる必要がなく、信号伝送経路２２において指令信号と駆動信号とが分離不能に混合してしまう恐れがない。【選択図】図１
2004304329.tif 000002
【特許請求の範囲】
【請求項１】
二のアンテナ素子で受信される放送信号それぞれを混合して出力するアンテナ部と、
外部からの指令を受けて、前記アンテナ部における二のアンテナ素子で受信される放送信号それぞれの位相関係を示すパラメータを変更可能な位相変更部と、
外部からの指令を受けて、前記アンテナ部における二のアンテナ素子で受信される放送信号それぞれの信号レベルの差を示すパラメータを変更可能なレベル変更部と、
前記アンテナ部により出力される放送信号を、該放送信号のうち特定の放送信号を選局するチューナへ伝送させるための信号伝送経路と、
前記放送信号とは異なる周波数帯域の成分からなる信号であって、前記位相変更部および前記レベル変更部に対して前記パラメータの変更を指令するための指令信号を、前記チューナ側から前記信号伝送経路へ出力する指令信号出力部と、
前記信号伝送経路中に配設され、前記アンテナ部側から入力される信号成分のうち、前記放送信号に相当する周波数成分を選択的に通過させて前記チューナ側へ出力すると共に、該チューナ側から入力される信号成分のうち、前記指令信号に相当する周波数成分を選択的に通過させて外部へ出力する第１フィルタ部と、
該第１フィルタ部により出力される信号を入力し、該入力した信号を前記位相変更部および前記レベル変更部それぞれに供給する信号供給部と、を備えた放送受信システムであって、
前記信号伝送経路における前記アンテナ部−前記第１フィルタ部間の経路中に配設され、前記アンテナ部側から入力される信号を、該信号の信号レベルを増幅して前記第１フィルタ部側へ出力する信号増幅部と、
前記信号伝送経路における前記第１フィルタ部−前記チューナ側間の経路を伝送される信号のうち、前記指令信号に相当する周波数成分の一部を抽出し、該抽出した信号に基づいて前記信号増幅部を駆動するための駆動信号を生成すると共に、該駆動信号を前記信号増幅部へ供給する増幅駆動部と、を備えている
ことを特徴とする放送受信システム。
【請求項２】
前記信号伝送経路における前記アンテナ部−前記信号増幅部間の経路中に配設され、前記アンテナ部側から入力される信号のうち、前記放送信号に相当する周波数成分を選択的に通過させて前記信号増幅部側へ出力すると共に、前記第１フィルタ部により出力される信号を入力し、該入力した信号のうち、前記指令信号に相当する周波数成分を選択的に通過させて前記アンテナ部側へ出力する第２フィルタ部と、
前記アンテナ部における前記信号伝送経路との接続位置−前記アンテナ素子間の経路、または、前記信号伝送経路における前記アンテナ部側の端部−前記第２フィルタ部間の経路中に配設され、前記アンテナ素子側または前記アンテナ部側から入力した信号のうち、前記放送信号に相当する周波数成分を選択的に通過させて前記信号伝送経路側または前記第２フィルタ部側へ出力すると共に、前記信号伝送経路側または前記第２フィルタ部側から入力した信号のうち、前記指令信号に相当する周波数成分を選択的に通過させて前記信号供給部へ出力する第３フィルタ部と、を備えており、
前記第１フィルタ部は、前記指令信号に相当する周波数成分を前記第２フィルタ部および前記第３フィルタ部を介して、前記信号供給部へ出力する
ことを特徴とする請求項１に記載の放送受信システム。
【請求項３】
前記位相変更部および前記レベル変更部のうち、いずれか一方は外部から指令として入力される直流成分の信号レベルに応じて前記パラメータを変更可能であり、他方は外部から指令として入力される交流成分の信号レベルに応じて前記パラメータを変更可能であって、
前記指令信号出力部は、直流成分に交流成分を重畳させた信号を前記指令信号として出力すると共に、利用者の操作を受けて、前記直流成分および前記交流成分それぞれの信号レベルを変更可能に構成され、
前記信号供給部は、前記第１フィルタ部により出力される信号を直流成分および交流成分の信号それぞれに分離して、該分離した直流成分を前記位相変更部または前記レベル変更部へ出力すると共に、前記分離した交流成分を前記レベル変更部または前記位相変更部へ出力する
ことを特徴とする請求項１または請求項２に記載の放送受信システム。
【請求項４】
前記位相変更部および前記レベル変更部のうち、いずれか一方は、外部から指令として入力される直流成分の信号レベルに応じて前記パラメータを変更するように構成され、他方は、外部から指令として入力される交流成分を直流成分に変換し、該変換した直流成分の信号レベルに応じて前記パラメータを変更する
ことを特徴とする請求項３に記載の放送受信システム。
【請求項５】
前記アンテナ部における二のアンテナ素子により受信される放送信号それぞれを入力し、該放送信号における信号レベルの差が所定のレベル差となるように、前記レベル変更部に対して前記パラメータの変更を指令するレベル変更指令部と、
外部から入力される信号に基づいて、前記レベル変更指令部を駆動するための駆動信号を生成すると共に、該駆動信号を前記レベル変更指令部へ供給するレベル変更駆動部と、を備えており、
前記位相変更部は、外部から指令として入力される直流成分の信号レベルに応じて前記パラメータを変更可能であり、
前記指令信号出力部は、直流成分の信号を前記指令信号として出力すると共に、利用者の操作を受けて、前記直流成分の信号レベルを変更可能に構成され、
前記信号供給部は、第１フィルタ部により出力される信号を、前記レベル変更駆動部および前記位相変更部へ出力する
ことを特徴とする請求項１または請求項２に記載の放送受信システム。
【請求項６】
前記位相変更部および前記レベル変更部は、外部から指令として入力される直流成分の信号レベルに応じて前記パラメータを変更可能であり、
前記指令信号出力部は、直流成分の信号を前記指令信号として出力すると共に、利用者の操作を受けて、前記直流成分の信号レベルを所定の第１レベルから該第１レベルより高い第２レベルまでの間で変更可能であり、利用者の操作を受けている間は、前記直流成分の信号レベルを前記第１レベルから前記第２レベル、または、該第２レベルから前記第１レベルまで繰り返し変更させるように構成され、
さらに、
外部から入力される直流成分の信号レベルが、前記第１レベルから前記第２レベル、または、該第２レベルから前記第１レベルまで変更された変更回数を所定回数まで繰り返しカウントすると共に、所定の第３レベルから該第３レベルよりも高い第４レベルまでの信号レベルのうち前記カウントした変更回数に応じた信号レベルの直流成分を生成し、該生成した直流成分を前記レベル変更部または前記位相変更部へ出力する変更カウント部と、
外部から入力される信号に基づいて、前記変更カウント部を駆動するための駆動信号を生成すると共に、該駆動信号を前記変更カウント部へ供給するカウント駆動部と、を備えており、
前記信号供給部は、第１フィルタ部により出力される信号を、前記位相変更部または前記レベル変更部、前記変更カウント部、および、前記カウント駆動部それぞれへ出力する
ことを特徴とする請求項１または請求項２に記載の放送受信システム。
【請求項７】
前記信号供給部により出力される信号を入力し、所定の第５レベルから該第５レベルよりも高い第６レベルまでの間の信号レベルのうち、前記入力した信号の信号レベルに応じた信号レベルの直流成分を生成し、該生成した直流成分を、前記位相変更部または前記レベル変更部へ出力する直流成分変更部を備えている
ことを特徴とする請求項６に記載の放送受信システム。
【請求項８】
前記位相変更部および前記レベル変更部は、外部から指令として入力される直流成分の信号レベルに応じて前記パラメータを変更可能であり、
前記指令信号出力部は、利用者の操作を受けている間、直流成分に特定周波数のパルス成分を重畳させてなる信号を前記指令信号として出力して、
前記信号供給部は、前記第１フィルタにより出力される信号を、直流成分およびパルス成分の信号それぞれに分離するように構成され、
さらに、
前記信号供給部により分離されたパルス成分を入力し、該パルス成分のパルス数を「０」から所定値「ｎ（０＜ｎ）」までの間で繰り返しカウントすると共に、所定の第１レベルから該第１レベルよりも高い第２レベルまでの信号レベルのうち前記カウントしたパルス数に応じた信号レベルの直流成分を生成し、該生成した直流成分を前記位相変更部または前記レベル変更部へ出力する第１パルスカウント部と、
前記信号供給部により分離されたパルス成分を入力し、該パルス成分のパルス数を「０」から所定値「ｎ×ｍ（０＜ｍ）」までの間で繰り返しカウントすると共に、所定の第３レベルから該第３レベルよりも高い第４レベルまでの信号レベルのうち前記カウントしたパルス数に応じた信号レベルの直流成分を生成し、該生成した直流成分を前記レベル変更部または前記位相変更部へ出力する第２パルスカウント部と、を備えており、
前記第１パルスカウント部および前記第２パルスカウント部は、前記信号供給部により分離された直流成分を入力し、該入力した直流成分を駆動信号として駆動するように構成されている
ことを特徴とする請求項１または請求項２に記載の放送受信システム。
【請求項９】
前記信号増幅部は、直流成分の信号により駆動されるように構成され、
前記増幅駆動部は、前記信号伝送経路のうち、前記第１フィルタ部−前記チューナ側間の経路を伝送される信号から直流成分を抽出し、該抽出した直流成分の信号レベルを、前記信号増幅部の駆動に要する信号レベルへ変更することにより駆動信号を生成する
ことを特徴とする請求項３から８のいずれかに記載の放送受信システム。
【請求項１０】
請求項１から請求項９のいずれかに記載の位相変更部、レベル変更部、第１フィルタ部、信号供給部、信号増幅部および増幅駆動部を備えている
ことを特徴とする受信特性調整装置。
【請求項１１】
請求項２から請求項９のいずれかに記載の第２フィルタ部および第３フィルタを備えている
ことを特徴とする請求項１０に記載の受信特性調整装置。
【請求項１２】
請求項５に記載のレベル変更指令部およびレベル変更駆動部を備えている
ことを特徴とする請求項１０または請求項１１に記載の受信特性調整装置。
【請求項１３】
請求項６に記載の変更カウント部およびカウント駆動部を備えている
ことを特徴とする請求項１０または請求項１１に記載の受信特性調整装置。
【請求項１４】
請求項７に記載の直流成分変更部を備えている
ことを特徴とする請求項１３に記載の受信特性調整装置。
【請求項１５】
請求項８に記載の第１パルスカウント部および第２パルスカウント部を備えている
ことを特徴とする請求項１０または請求項１１に記載の受信特性調整装置。
【請求項１６】
請求項１から請求項９のいずれかに記載されたアンテナ部の構成要素であって、二のアンテナ素子により受信される放送信号それぞれを混合する混合器を備えている
ことを特徴とする請求項１０から請求項１５のいずれかに記載の受信特性調整装置。
【請求項１７】
請求項１から請求項９のいずれかに記載の信号増幅部および増幅駆動部を備えている
ことを特徴とする受信特性調整装置。
【請求項１８】
請求項２から請求項９のいずれかに記載の第１フィルタ部および第２フィルタを備えている
ことを特徴とする請求項１７に記載の受信特性調整装置。
【請求項１９】
請求項１から請求項９のいずれかに記載の指令出力部を備えている
ことを特徴とする受信特性調整装置。
【発明の詳細な説明】
【０００１】
【発明の属する技術分野】
本発明は、放送信号を受信するための放送受信システムに関する。
【０００２】
【従来の技術】
従来から、テレビ放送などの放送信号を受信するためのアンテナ装置として、二のアンテナ素子により受信される放送信号それぞれを混合して出力するアンテナ部、一方のアンテナ素子により受信される放送信号を移相する移相器、および、他方のアンテナ素子により受信される放送信号を減衰させる減衰器などからなるアンテナ装置が利用されている。
【０００３】
このアンテナ装置では、移相器および減衰器を操作し、二のアンテナ素子により受信される放送信号それぞれの位相関係および信号レベルの差を変更することにより受信特性（指向性）を調整することができる。こうして、受信特性を調整することにより、アンテナ装置と信号伝送経路（ケーブル）を介して接続されるチューナ（例えば、テレビ受像機）による受信状況（例えば、テレビ受像機により表示される映像の状態）を改善させることができる。
【０００４】
ただ、通常は、アンテナ装置自体は屋外に設置され、チューナはアンテナ装置から離れた屋内に設置されるため、チューナから離れた場所からでなければ、移相器および減衰器を直接操作することができず、チューナによる受信状況の確認を同時に行うことは困難である。
【０００５】
そこで、現在では、移相器および減衰器への動作を指令するための指令信号を上述の信号伝送経路に重畳させた状態でチューナ側からアンテナ装置まで伝送させ、アンテナ装置側において指令信号を分離して移相器および減衰器に供給することによって、移相器および減衰器を遠隔操作するように構成された放送受信システムが利用されている。これにより、チューナ付近においてチューナによる受信状況を確認しながら移相器および減衰器を間接的に操作すること、つまり、二のアンテナ素子により受信される放送信号それぞれの位相関係および信号レベルの差を信号伝送経路経由で変更することができる。
【０００６】
なお、この場合、信号伝送経路に重畳させる指令信号によって移相器および減衰器の２種類を動作させる必要があるが、そのための技術は種々提案されている。例えば、移相器および減衰器のうち、いずれか一方を外部から入力する直流成分の信号（制御用電圧信号）における正の信号レベル（電圧値）に応じて動作し、他方を外部から入力する直流成分の信号における負の信号レベルに応じて動作するものとしておき、正および負の信号を指令信号（制御用電圧信号）として信号伝送経路（給電線）へ出力し、アンテナ装置側において指令信号から正および負の信号を分離させて移相器および減衰器それぞれに供給する、といった技術である（特許文献１参照）。
【０００７】
【特許文献１】
特開昭５５−０８２５０２号公報
【０００８】
【発明が解決しようとする課題】
しかし、上述のように、位相関係および信号レベルの差を信号伝送経路経由で変更可能に構成した放送受信システムにおいては、アンテナ素子により受信される放送信号の信号レベル（電界強度）そのものが低い（弱い）と、いくら受信特性を調整したとしても充分に受信状況を改善させることはできない。
【０００９】
ここで、受信状況を充分に改善できるようにするためには、信号伝送経路中に、アンテナ装置側から入力した放送信号の信号レベルを増幅してチューナ側へ出力する信号増幅器（ブースタ）を配設すればよいが、単に信号増幅器を信号伝送経路中に配設しただけでは、システムが正常に動作しなくなる恐れがある。
【００１０】
例えば、信号伝送経路中に信号増幅器を配設した場合、チューナ側から信号伝送経路へ出力される指令信号は、信号増幅器の出力側へ入力されてしまう。そのため、信号増幅器が指令信号をアンテナ装置側へ出力するように構成されていなければ、結果的に移相器および減衰器に指令信号を供給することができなくなってしまう。この問題については、指令信号に相当する周波数成分のみを選択的に通過させるフィルタを設け、このフィルタを介して指令信号が信号増幅器を避けて移相器および減衰器に供給されるように構成すればよい。これにより、信号伝送経路中に信号増幅器を配設したとしても、移相器および減衰器に指令信号を供給することができるようになる。
【００１１】
また、信号伝送路中に信号増幅器を配設した場合には、信号増幅器を動作させるための駆動信号を信号増幅器へ供給しなければならない。駆動信号を信号増幅器へ供給するためには、上述の信号伝送経路とは独立した経路を新たに敷設し、この経路に駆動信号を伝送させる方法を考えることができる。しかし、この方法では、新たな経路を敷設するといった面倒な作業が必要となり、信号増幅器を配設する位置がチューナから離れるほど敷設すべき経路が長くなり、信号増幅器を設けることに伴うコストが増加するため好ましくない。
【００１２】
そのため、上述の信号伝送経路経由で駆動信号を信号増幅器へ供給することが望ましいが、上述した技術のように直流成分を含む信号が指令信号として利用される構成においては、駆動信号を信号伝送経路に伝送させることができない。これは、信号増幅器を駆動するのに必要な駆動信号が一般的に直流成分（直流電圧）であることに起因し、直流成分の指令信号が伝送されている信号伝送経路に同じ直流成分の駆動信号が伝送されると、指令信号と駆動信号が分離不可能に混合されてしまい、アンテナ装置側において指令信号を分離できなくなるためである。
【００１３】
本発明は、上記問題を解決するために成されたものであり、その目的は、位相関係および信号レベルの差を信号伝送経路経由で変更可能な放送受信システムを、信号伝送経路に信号増幅器を配設した状態で正常に動作させるための技術を提供することである。
【００１４】
【課題を解決するための手段および発明の効果】
上記問題を解決するため請求項１に記載の放送受信システムは、アンテナ部、位相変更部、レベル変更部、信号伝送経路、指令信号出力部、第１フィルタ部および信号供給部を備えている。これらのうち、アンテナ部は、二のアンテナ素子で受信される放送信号それぞれを混合して出力する。また、位相変更部は、外部からの指令を受けて、アンテナ部における二のアンテナ素子で受信される放送信号それぞれの位相関係を示すパラメータを変更可能である。また、レベル変更部は、外部からの指令を受けて、アンテナ部における二のアンテナ素子で受信される放送信号それぞれの信号レベルの差を示すパラメータを変更可能である。また、信号伝送経路は、アンテナ部により出力される放送信号を、この放送信号のうち特定の放送信号を選局するチューナへ伝送させるためのものである。また、指令信号出力部は、位相変更部およびレベル変更部に対するパラメータの変更を指令するための信号であって、放送信号とは異なる周波数帯域の成分からなる指令信号を、チューナ側から信号伝送経路へ出力する。また、第１フィルタ部は、信号伝送経路中に配設され、アンテナ部側から入力される信号成分のうち、放送信号に相当する周波数成分を選択的に通過させて外部へ出力する。そして、信号供給部は、第１フィルタ部により出力される信号を入力し、この入力した信号を位相変更部およびレベル変更部それぞれに供給する。さらに、この放送受信システムは、信号増幅部および増幅駆動部を備えており、信号増幅部は、信号伝送経路におけるアンテナ部−第１フィルタ部間の経路中に配設され、アンテナ部側から入力される信号を、この信号の信号レベルを増幅して第１フィルタ部側へ出力する。また、増幅駆動部は、信号伝送経路における第１フィルタ部−チューナ側間の経路を伝送される信号のうち、指令信号に相当する周波数成分の一部を抽出し、この抽出した信号に基づいて信号増幅部を駆動するための駆動信号を生成すると共に、この駆動信号を信号増幅部へ供給する。
【００１５】
このように構成された放送受信システムによれば、放送信号の信号レベルを増幅する信号増幅部が、信号伝送経路のうちアンテナ部−第１フィルタ部間の経路中に配設されている。この第１フィルタ部は、指令信号に相当する周波数成分を、信号増幅部を迂回するようにして信号供給部へ出力するため、チューナ側から出力された信号成分を、信号増幅部に入力することなく、確実に位相変更部およびレベル変更部に供給することができる。
【００１６】
また、増幅駆動部により、指令信号に相当する周波数成分の一部から信号増幅部を駆動するための駆動信号を生成して信号増幅部へ供給することができる。よって、チューナ側から信号伝送経路には駆動信号が伝送されないため、信号伝送経路において指令信号と駆動信号とが分離不能に混合されてしまう恐れがない。
【００１７】
これらのことから、本放送受信システムは、信号伝送経路に信号増幅部が配設されているにも拘わらず、位相変更部およびレベル変更部への指令信号の供給、および、信号増幅部への駆動信号の供給を正常に行うことができる。
なお、上述した位相変更部は、二のアンテナ素子で受信される放送信号それぞれの位相関係を示すパラメータを変更可能なものであって、例えば、二のアンテナ素子のうちいずれか一方から、二のアンテナ素子それぞれにより受信される放送信号を混合する構成（混合器）までに至る経路中に配設され、外部からの指令で放送信号の位相を変更できる移相器からなるものなどである。
【００１８】
また、レベル変更部は、二のアンテナ素子で受信される放送信号それぞれの信号レベルの差を示すパラメータを変更可能なものであって、例えば、二のアンテナ素子のうちいずれか一方から、二のアンテナ素子それぞれにより受信される放送信号を混合する構成（混合器）までに至る経路中に配設され、放送信号の信号レベルを減衰させる減衰器からなるものである。
【００１９】
また、第１フィルタ部は、例えば、アンテナ部側から入力される信号成分のうち、放送信号に相当する周波数成分を選択的に通過させてチューナ側へ出力するフィルタと、チューナ側から入力される信号成分のうち、指令信号に相当する周波数成分を選択的に通過させて外部へ出力するフィルタからなるものである。
【００２０】
また、この第１フィルタ部は、信号伝送経路中に配設されていればよいが、その配設される位置がアンテナ部から離れるほど、第１フィルタ部が出力する信号成分、つまり、指令信号を伝送させるために、信号伝送経路と並行してアンテナ部付近まで敷設すべき経路が長くなってしまい、第１フィルタ部を配設するのに要するコストが増加してしまう恐れがある。そこで、請求項２に記載のように構成するとよい。
【００２１】
請求項２に記載の放送受信システムは、第２フィルタ部および第３フィルタ部を備えており、第１フィルタ部が、指令信号を第２フィルタ部および第３フィルタ部を介して、位相変更部およびレベル変更部へ向けて出力する。これらのうち、第２フィルタ部は、信号伝送経路におけるアンテナ部−信号増幅部間の経路中に配設され、アンテナ部側から入力される信号のうち、放送信号に相当する周波数成分を選択的に通過させて信号増幅部側へ出力すると共に、第１フィルタ部により出力される信号を入力し、この入力した信号のうち、指令信号に相当する周波数成分を選択的に通過させてアンテナ部側へ出力する。また、第３フィルタ部は、アンテナ部における信号伝送経路との接続位置−アンテナ素子間の経路、または、信号伝送経路におけるアンテナ部側の端部−第２フィルタ部間の経路中に配設され、アンテナ素子側またはアンテナ部側から入力した信号のうち、放送信号に相当する周波数成分を選択的に通過させて信号伝送経路側または第２フィルタ部側へ出力すると共に、信号伝送経路側または第２フィルタ部側から入力した信号のうち、指令信号に相当する周波数成分を選択的に通過させて信号供給部へ出力する。
【００２２】
このように構成された放送受信システムによれば、第１フィルタ部により出力される信号成分、つまり、指令信号は、第２フィルタ部から第３フィルタ部に至るまで信号伝送経路を含む同一の経路を伝送させることができる。そのため、指令信号を伝送させるために信号伝送経路と並行して敷設する経路は、信号増幅部を迂回できる分だけでよく、アンテナ部付近まで敷設する必要がない。よって、第１フィルタ部の配設される位置がアンテナ部から離れていたとしても、第１フィルタ部を配設するのに要するコストが増加することはない。
【００２３】
また、上述の指令出力部により出力される指令信号は、放送信号とは異なる周波数成分であって、位相変更部およびレベル変更部を動作させることができればよく、具体的な成分，種類，周波数帯域などは特に限定されない。例えば、直流成分および交流成分からなる信号を指令信号とし、この指令信号のうち、直流成分および交流成分のいずれか一方により位相変更部を動作させて、他方によりレベル変更部を動作させるように構成することを考えることができる。
【００２４】
具体的には、請求項３に記載のように、位相変更部およびレベル変更部のうち、いずれか一方は外部から指令として入力される直流成分の信号レベルに応じてパラメータを変更可能であり、他方は外部から指令として入力される交流成分の信号レベルに応じてパラメータを変更可能であって、指令信号出力部は、直流成分に交流成分を重畳させた信号を指令信号として出力すると共に、利用者の操作を受けて、直流成分および交流成分それぞれの信号レベルを変更可能に構成され、信号供給部は、第１フィルタ部により出力される信号を直流成分および交流成分の信号それぞれに分離して、分離した直流成分を位相変更部またはレベル変更部へ出力すると共に、分離した交流成分をレベル変更部または位相変更部へ出力する、ように構成すればよい。
【００２５】
このように構成された放送受信システムによれば、指令信号出力部により出力される指令信号の直流成分および交流成分それぞれについて信号レベルを変更することによって、位相変更部およびレベル変更部それぞれによるパラメータを変更することができ、これにより、チューナ側による受信状況を改善させることができる。
【００２６】
なお、この構成における信号供給部は、第１フィルタ部により出力される信号を直流成分および交流成分の信号それぞれに分離するものであって、例えば、第１フィルタ部により出力された信号から直流成分を抽出するフィルタと、同信号から交流成分を抽出するフィルタとを備えたものである。
【００２７】
また、この構成において、位相変更部およびレベル変更部は、いずれか一方に直流成分，他方に交流成分が供給されるため、それぞれ対応する成分の信号レベルに応じて直接パラメータを変更できるように構成すればよい。また、位相変更部およびレベル変更部の両方を、直流成分の信号レベルに応じてパラメータを変更するように構成してもよく、この場合、いずれか一方が交流成分を直流成分に変換するように構成するとよい。
【００２８】
具体的には、請求項４に記載のように、位相変更部およびレベル変更部のうち、いずれか一方は、外部から指令として入力される直流成分の信号レベルに応じてパラメータを変更するように構成し、他方は、外部から指令として入力される交流成分を直流成分に変換し、この変換した直流成分の信号レベルに応じてパラメータを変更する、ように構成するとよい。
【００２９】
このように構成された放送受信システムによれば、位相変更部およびレベル変更部のいずれか一方は、交流成分を直流成分に変換できるため、移相変更部およびレベル変更部両方が外部から入力される直流成分に応じてパラメータを変更するものであっても、直流成分および交流成分が重畳されてなる指令信号に基づいてパラメータを変更させることができる。
【００３０】
また、上述の指令出力部により出力される指令信号は、直流成分のみからなる信号を指令信号とし、この指令信号により位相変更部およびレベル変更部を動作させるように構成することを考えることもできる。
具体的な例としては、請求項５に記載のように、アンテナ部における二のアンテナ素子により受信される放送信号それぞれを入力し、この放送信号における信号レベルの差が所定のレベル差となるように、レベル変更部に対してパラメータの変更を指令するレベル変更指令部と、外部から入力される信号に基づいて、レベル変更指令部を駆動するための駆動信号を生成すると共に、この駆動信号をレベル変更指令部へ供給するレベル変更駆動部と、を備え、位相変更部は、外部から指令として入力される直流成分の信号レベルに応じてパラメータを変更可能であり、指令信号出力部は、直流成分の信号を指令信号として出力すると共に、利用者の操作を受けて、直流成分の信号レベルを変更可能に構成して、信号供給部は、第１フィルタ部により出力される信号を、レベル変更駆動部および位相変更部へ出力する、ように構成するとよい。
【００３１】
このように構成された放送受信システムによれば、レベル変更指令部によって、レベル変更部による信号レベルの差を自動的に所定のレベル差に変更することができる。レベル変更部は、二のアンテナ素子により受信される放送信号それぞれの信号レベルの差を、所定のレベル差（例えば、信号レベルの差「０」）とするように動作させることが一般的である。そのため、信号レベルの差を自動的に所定のレベル差に変更するように構成することによって、チューナ側による受信状況を改善させる際、利用者は、移相変更部による移相関係の変更のみを行えばよくなり、受信状況を改善させるための操作を簡略化できる。
【００３２】
また、直流成分のみからなる指令信号により位相変更部およびレベル変更部を動作させるための別の例としては、請求項６に記載のような構成を考えることもできる。
請求項６に記載の放送受信システムにおいて、位相変更部およびレベル変更部は、外部から指令として入力される直流成分の信号レベルに応じて前記パラメータを変更可能である。また、指令信号出力部は、直流成分の信号を前記指令信号として出力すると共に、利用者の操作を受けて、直流成分の信号レベルを所定の第１レベルから第１レベルより高い第２レベルまでの間で変更可能であり、利用者の操作を受けている間は、直流成分の信号レベルを第１レベルから第２レベル、または、第２レベルから第１レベルまで繰り返し変更させるように構成されている。
【００３３】
さらに、この放送受信システムは、変更カウント部およびカウント駆動部を備え、信号供給部が、第１フィルタ部により出力される信号（つまり、指令信号出力部から出力される直流成分）を、位相変更部またはレベル変更部、変更カウント部、および、カウント駆動部それぞれへ出力する。これらのうち、変更カウント部は、外部から入力される直流成分の信号レベルが、第１レベルから第２レベル、または、第２レベルから第１レベルまで変更された変更回数を所定回数まで繰り返しカウントすると共に、所定の第３レベルから第３レベルよりも高い第４レベルまでの信号レベルのうちカウントした変更回数に応じた信号レベルの直流成分を生成し、この生成した直流成分をレベル変更部または位相変更部へ出力する。また、カウント駆動部は、外部から入力される信号に基づいて、変更カウント部を駆動するための駆動信号を生成すると共に、この駆動信号を変更カウント部へ供給する。
【００３４】
このように構成された放送受信システムによれば、位相変更部およびレベル変更部のうち、いずれか一方へ出力される直流成分の信号レベルは、信号供給部により出力される直流成分の信号レベルが第１から第２レベル、または、第２から第１レベルまで変更された変更回数に応じて変更され（変更カウント部による）。また、他方へ出力される直流成分の信号レベルは、信号供給部により出力される直流成分の信号レベルに応じて変更される。つまり、位相変更部およびレベル変更部のうち、いずれか一方へ出力される直流成分が所定回数（ｉ回）変化するまでの各ステップ（０からｉステップ）それぞれについて、他方へ出力される直流成分の信号レベルを第１から第２レベルまたは第２から第１レベルまで変化させることができる。
【００３５】
これにより、信号供給部により供給される直流成分の信号レベルが、第１から第２レベル、または、第２から第１レベルに所定回数変更されるまでに、位相変更部およびレベル変更部が第１から第２レベルおよび第３から第４レベルに至る間に変更する各パラメータの組合せを全て実現することができる。
【００３６】
また、変更カウント部によりカウントされる変更回数は、指令信号出力部が操作されている間に出力する直流成分に基づくものであるため、利用者は、指令信号出力部を操作し続けることにより、位相変更部およびレベル変更部それぞれによるパラメータを順次変更していき、チューナ側による受信状況が改善されたと感じたときに、指令信号出力部の操作を終了するといった簡単な操作手順で、チューナ側による受信状況を改善させることができる。
【００３７】
なお、上述の変更カウント部は、直流成分の第１から第２レベルまたは第２から第１レベルまでの信号レベルの変更回数を繰り返しカウントすると共に、カウントした変更回数に応じた信号レベルの直流成分を生成して位相変更部またはレベル変更部へ出力するものである。ここで、信号レベルの変更回数をカウントするためには、例えば、信号レベルが第２または第１レベルに到達した後で第１または第２レベルに戻ったことを検出し、このように信号レベルが戻った回数を「信号レベルの変更回数」としてカウントするように構成すればよい。なお、このときの第１レベルと第３レベル、および、第２レベルと第４レベルは、それぞれ同じレベルであってもよいし、異なるレベルであってもよい。
【００３８】
また、請求項７に記載の放送受信システムは、信号供給部により出力される信号を入力し、所定の第５レベルから第５レベルよりも高い第６レベルまでの間の信号レベルのうち、入力した信号の信号レベルに応じた信号レベルの直流成分を生成し、この生成した直流成分を、位相変更部またはレベル変更部へ出力する直流成分変更部を備えている。
【００３９】
このように構成された放送受信システムによれば、位相変換部またはレベル変換部へ出力される直流成分の信号レベルを、信号供給部により出力される信号レベルとは異なる信号レベルとすることができる。
例えば、信号供給部により出力される直流成分の最大信号レベルが、位相変更部またはレベル変更部がパラメータを上限または下限まで変化させるのに必要な直流成分の信号レベルよりも小さい場合、信号供給部により出力される直流成分では位相変更部またはレベル変更部のパラメータを上限または下限まで変化させることができない。そこで、直流成分変更部によって、信号供給部により出力される直流成分の信号レベルに応じて、この信号レベルよりも高いレベルの直流成分を生成するように構成すれば、位相変更部またはレベル変更部のパラメータを上限または下限まで変化させることができる。
【００４０】
また、上述の指令出力部により出力される指令信号は、パルス成分からなる信号を指令信号とし、この指令信号のパルス成分により位相変更部およびレベル変更部を動作させるように構成することを考えることもできる。具体的には、請求項８に記載のように構成するとよい。
【００４１】
請求項８に記載の放送受信システムは、位相変更部およびレベル変更部が、外部から指令として入力される直流成分の信号レベルに応じてパラメータを変更可能であり、指令信号出力部が、利用者の操作を受けている間、直流成分に特定周波数のパルス成分を重畳させてなる信号を指令信号として出力して、信号供給部が、第１フィルタにより出力される信号を、直流成分およびパルス成分の信号それぞれに分離する。さらに、この放送受信システムは、第１パルスカウント部および第２パルスカウント部を備えており、第１パルスカウント部および第２パルスカウント部が、信号供給部により分離された直流成分を入力し、この直流成分を駆動信号として駆動するように構成されている。これらのうち、第１パルスカウント部は、信号供給部により分離されたパルス成分を入力し、このパルス成分のパルス数を「０」から所定値「ｎ（０＜ｎ）」までの間で繰り返しカウントすると共に、所定の第１レベルから第１レベルよりも高い第２レベルまでの信号レベルのうちカウントしたパルス数に応じた信号レベルの直流成分を生成し、この生成した直流成分を前記位相変更部または前記レベル変更部へ出力する。そして、第２パルスカウント部は、第５フィルタ部により出力されるパルス成分を入力し、このパルス成分のパルス数を「０」から所定値「ｎ×ｍ（０＜ｍ）」までの間で繰り返しカウントすると共に、所定の第３レベルから第３レベルよりも高い第４レベルのうちカウントしたパルス数に応じた直流成分を生成し、この生成した直流成分をレベル変更部または位相変更部へ出力する。
【００４２】
このように構成された放送受信システムによれば、信号供給部により分離されて出力されるパルス数が「０」から「ｎ×ｍ」になるまでに、位相変更部およびレベル変更部のうち、いずれか一方に出力される直流成分はレベルの変化（第１，３から第２，４）を１回行うのに対し、他方に出力される直流成分はレベルの変化をｍ回行う。つまり、位相変更部およびレベル変更部のうち、いずれか一方に出力される直流成分の信号レベルが第１，３レベルから第２，４レベルまで変化する間をｍ分割した各レベルそれぞれについて、他方に出力される直流成分の信号レベルを第３，１レベルから第４，２レベルまで変化させることができる。
【００４３】
これにより、パルス数が「ｎ×ｍ」に到達するまでに、位相変更部およびレベル変更部それぞれが第１，３レベルから第２，４レベルに至る間に変更する各パラメータの「ｎ×ｍ」種類の組合せを全て実現できることができる。
また、各カウント部によりカウントされるパルス数は、指令信号出力部を操作している間だけ出力されるパルス成分に基づくものであるため、利用者は、指令信号出力部を操作し続けることにより、位相変更部およびレベル変更部それぞれによるパラメータを順次変更していき、チューナ側による受信状況が改善されたと感じたときに、指令信号出力部の操作を終了するといった簡単な操作手順で、チューナ側による受信状況を改善させることができる。
【００４４】
なお、この構成における信号供給部は、第１フィルタ部により出力された信号を直流成分およびパルス成分の信号それぞれに分離するものであって、例えば、第１フィルタ部により出力された信号から直流成分を抽出するフィルタと、同信号からパルス成分を抽出するフィルタとを備えているものである。
【００４５】
また、第１，第２パルスカウント部は、パルス成分のパルス数を繰り返しカウントすると共に、カウントしたパルス数に応じた信号レベルの直流成分を生成して位相変更部またはレベル変更部へ出力するものである。具体的には、パルス数を「０」から所定値「ｎ，ｎ×ｍ」までの間で繰り返しカウントするカウンタ、カウンタによりカウントされたパルス数に応じて第１，３レベルから第２，４レベルまでの信号レベルの直流成分を生成して出力するＤＡＣ（Ｄｉｇｉｔａｌ  ｔｏ  Ａｎａｌｏｇ  Ｃｏｎｖｅｒｔｅｒ  ：デジタル−アナログコンバータ）からなるものなどである。なお、このときの第１レベルと第３レベル、および、第２レベルと第４レベルは、それぞれ同じレベルであってもよいし、異なるレベルであってもよい。
【００４６】
また、上述の増幅駆動部は、駆動信号を生成して信号増幅部へ供給するものであって、信号増幅部が、直流成分の信号により駆動されるように構成されている場合には、請求項９に記載のように、信号伝送経路のうち、第１フィルタ部−チューナ側間の経路を伝送される信号から直流成分を抽出し、この抽出した直流成分の信号レベルを、信号増幅部の駆動に要する信号レベルへ変更することにより駆動信号を生成するように構成するとよい。
【００４７】
このように構成された放送受信システムによれば、信号伝送経路から直流成分を抽出し、この信号の信号レベルを変更することによって駆動信号を生成することができる。
また、請求項１０に記載の受信特性調整装置は、請求項１から請求項９のいずれかに記載の位相変更部、レベル変更部、第１フィルタ部、信号供給部、信号増幅部および増幅駆動部を備えている。このように構成された受信特性調整装置は、請求項１から請求項９のいずれかに記載の放送受信システムの一部を構成することができる。
【００４８】
また、この構成においては、請求項１１に記載のように、請求項２から請求項９のいずれかに記載の第２フィルタ部および第３フィルタを備えていてもよい。この場合、請求項２から請求項９のいずれかに記載の放送受信システムの一部を構成することができる。
【００４９】
また、この構成においては、請求項１２に記載のように、請求項５から請求項７のいずれかに記載のレベル変更指令部およびレベル変更駆動部を備えてもよい。この場合、請求項５から請求項７のいずれかに記載の放送受信システムの一部を構成することができる。
【００５０】
また、請求項１０，１１の構成においては、請求項１３に記載のように、  請求項６に記載の変更カウント部およびカウント駆動部を備えてもよい。この場合、請求項１３に記載の放送受信システムの一部を構成することができる。
また、請求項１０，１１の構成においては、請求項１４に記載のように、請求項７に記載の直流成分変更部を備えてもよい。この場合、請求項１４に記載の放送受信システムの一部を構成することができる。
【００５１】
また、請求項１０，１１の構成においては、請求項１５に記載のように、請求項８に記載の第５フィルタ部、第１パルスカウント部および第２パルスカウント部を備えてもよい。この場合、請求項８に記載の放送受信システムの一部を構成することができる。
【００５２】
また、請求項１０から請求項１５の構成においては、請求項１６に記載のように、請求項１から請求項９のいずれかに記載されたアンテナ部の構成要素であって、二のアンテナ素子により受信される放送信号それぞれを混合する混合器を備えてもよい。この場合、請求項１から請求項９のいずれかに記載の放送受信システムの一部を構成することができる。
【００５３】
また、請求項１７に記載の受信特性調整装置は、請求項１から請求項９のいずれかに記載の信号増幅部および増幅駆動部を備えている。このように構成された受信特性調整装置は、請求項１から請求項９のいずれかに記載の放送受信システムの一部を構成することができる。
【００５４】
また、この構成においては、請求項１８に記載のように、請求項２から請求項９のいずれかに記載の第１フィルタ部および第２フィルタを備えてもよい。この場合、請求項２から請求項９のいずれかに記載の放送受信システムの一部を構成することができる。
【００５５】
また、請求項１９に記載の受信特性調整装置は、請求項１から請求項９のいずれかに記載の指令出力部を備えている。このように構成された受信特性調整装置は、請求項１から請求項９のいずれかに記載の放送受信システムの一部を構成することができる。
【００５６】
【発明の実施の形態】
次に本発明の実施の形態について例を挙げて説明する。
［第１実施形態］
放送受信システム１は、図１に示すように、放送信号を受信するアンテナ装置１０、アンテナ装置１０により受信された放送信号をチューナ１００へ伝送させるための信号伝送経路２２、信号伝送経路２２中に配設された重畳用フィルタ３０，ブースタ４０および分離用フィルタ５０、放送受信システム全体の動作を制御する制御装置６０などからなる。
【００５７】
アンテナ装置１０は、信号伝送経路２２の一端に接続されるものであって、二のアンテナ素子１１、混合器１２、移相器１３、第１移相器側フィルタ１４、第２移相器側フィルタ１５、整流平滑回路１６、減衰器１７、第１減衰器側フィルタ１８、第２減衰器側フィルタ１９などにより構成される。
【００５８】
これらのうち、混合器１２は、二のアンテナ素子１１により出力される放送信号それぞれを混合して信号伝送経路２２へ出力する。
また、移相器１３は、一方のアンテナ素子１１から混合器１２に至る経路（放送信号が伝送される経路）中に配設され、アンテナ素子１１により受信される放送信号の位相を、移相器側フィルタ１４，１５および整流平滑回路１６を介してアンテナ装置１０外部から入力される信号の信号レベル（本実施形態においては、０から３０Ｖ）に応じて所定範囲内（本実施形態においては、０から３６０度まで）で遅らせることによって、二のアンテナ素子１１により受信される放送信号それぞれの移相関係を変更する。
【００５９】
また、第１移相器側フィルタ１４は、ハイパスフィルタ（ＨＰＦ）１４ａとローパスフィルタ（ＬＰＦ）１４ｂとからなるダイプレックスフィルタである。ハイパスフィルタ１４ａは、移相器１３から混合器１２に至る経路（放送信号が伝送される経路）中に配設され、移相器１３側から入力した信号のうち、放送信号に相当する周波数成分（本実施形態においては、１０ＭＨｚ以上；以降、高周波成分とする）を選択的に通過させて混合器１２側へ出力する。一方、ローパスフィルタ１４ｂは、一端側がハイパスフィルタ１４ａから混合器１２に至る経路，他端が第２移相器側フィルタ１５に接続され、混合器１２側から入力した信号のうち、放送信号より周波数帯域の低い成分（本実施形態においては、１０ＭＨｚ以下；以降、低周波成分とする）を選択的に通過させて第２移相器側フィルタ１５側へ出力する。
【００６０】
また、第２移相器側フィルタ１５は、一端が第１移相器側フィルタ１４（ローパスフィルタ１４ｂの他端側），他端が整流平滑回路１６に接続され、第１移相器側フィルタ１４側から入力した信号のうち、低周波成分に含まれる交流成分（本実施形態においては、１０ｋＨｚ以上）のみを選択的に通過させて整流平滑回路１６側へ出力するハイパスフィルタである。
【００６１】
また、整流平滑回路１６は、一端が第２移相器側フィルタ１５（他端側），他端が移相器１３に接続されており、第２移相器側フィルタ１５側から入力した信号の交流成分を整流する整流回路１６ａと、整流回路１６ａにより整流された信号を入力し、この信号を平滑した直流成分を移相器１３側へ出力する平滑回路１６ｂとからなる。
【００６２】
また、減衰器１７は、他方のアンテナ素子１１から混合器１２に至る経路（放送信号が伝送される経路）中に配設され、アンテナ素子１１により受信される放送信号の信号レベルを、減衰器側フィルタ１８，１９を介してアンテナ装置１０外部から入力される信号の信号レベル（本実施形態においては、１から１５Ｖ）に応じて所定範囲内（本実施形態においては、０から１０ｄＢまで）で減衰させる。これによって、二のアンテナ素子１１により受信される放送信号それぞれの信号レベルの差を変更する。
【００６３】
また、第１減衰器側フィルタ１８は、ハイパスフィルタ（ＨＰＦ）１８ａとローパスフィルタ（ＬＰＦ）１８ｂとからなるダイプレックスフィルタである。ハイパスフィルタ１８ａは、減衰器１７から混合器１２に至る経路（放送信号が伝送される経路）中に配設され、減衰器１７側から入力した信号のうち、高周波成分を選択的に通過させて混合器１２側へ出力する。一方、ローパスフィルタ１８ｂは、一端側がハイパスフィルタ１８ａから混合器１２に至る経路，他端が第２減衰器側フィルタ１９に接続され、混合器１２側から入力した信号のうち、低周波成分を選択的に通過させて第２減衰器側フィルタ１９側へ出力する。
【００６４】
そして、第２減衰器側フィルタ１９は、一端が第１減衰器側フィルタ１８（ローパスフィルタ１８ｂの他端側），他端が減衰器１７に接続され、第１減衰器側フィルタ１８側から入力した信号のうち、低周波成分に含まれる直流成分（本実施形態においては、１０ＫＨｚ以下）のみを選択的に通過させて減衰器１７側へ出力するハイパスフィルタである。
【００６５】
信号伝送経路２２は、伝送ケーブルによりアンテナ装置１０−チューナ１００間に形成される信号の伝送経路である。
重畳用フィルタ３０は、ハイパスフィルタ（ＨＰＦ）３２とローパスフィルタ（ＬＰＦ）３４とからなるダイプレックスフィルタである。ハイパスフィルタ３２は、信号伝送経路２２のアンテナ装置１０側の端部からブースタ４０に至る経路中に配設され、アンテナ装置１０側から入力した信号のうち、高周波成分を選択的に通過させてブースタ４０側へ出力する。一方、ローパスフィルタ３４は、一端側が信号伝送経路２２のアンテナ装置１０側の端部からハイパスフィルタ３２に至る経路，他端が迂回経路２４を介して分離用フィルタ５０に接続され、分離用フィルタ５０側から入力した信号のうち、低周波成分を選択的に通過させてアンテナ装置１０側へ出力する。こうして、信号伝送経路２２におけるアンテナ装置１０側の端部から重畳用フィルタ３０に至る経路には、高周波成分と低周波成分が重畳された状態で伝送される。
【００６６】
ブースタ４０は、信号伝送経路２２における重畳用フィルタ３０からチューナ１００側の端部に至る経路中に配設され、重畳用フィルタ３０側から入力した信号を、この信号の信号レベルを増幅してチューナ１００側へ出力する。また、このブースタ４０は、信号伝送経路２２におけるチューナ１００側から入力される直流成分の駆動信号（本実施形態においては、直流電圧１５Ｖ）により動作する。
【００６７】
分離用フィルタ５０は、ハイパスフィルタ（ＨＰＦ）５２ａとローパスフィルタ（ＬＰＦ）５２ｂとからなるダイプレックスフィルタ５２、第１電源フィルタ（ＰＳＦ）５４、定電圧回路５６および第２電源フィルタ（ＰＳＦ）５８などにより構成される。
【００６８】
これらのうち、ハイパスフィルタ５２ａは、信号伝送経路２２におけるブースタ４０からチューナ１００側の端部に至る経路中に配設され、ブースタ４０側から入力した信号のうち、高周波成分を選択的に通過させてチューナ１００側へ出力する。一方、ローパスフィルタ５２ｂは、一端が信号伝送経路２２におけるブースタ４０からチューナ１００側の端部に至る経路，他端が迂回経路２４を介して重畳用フィルタ３０（ローパスフィルタ３４の他端側）に接続され、チューナ１００側から入力した信号のうち、低周波成分を選択的に通過させて重畳用フィルタ３０側へ出力する。こうして、信号伝送経路２２におけるチューナ１００側の端部から分離用フィルタ５０に至る経路を伝送される信号は、ブースタ４０に至る経路を伝送される高周波成分と、迂回経路２４を伝送される低周波成分とに分離される。
【００６９】
また、第１電源フィルタ５４は、一端が信号伝送経路２２におけるハイパスフィルタ５２ａからチューナ１００側の端部に至る経路，他端が定電圧回路５６に接続され、チューナ１００側から入力した信号のうち、直流成分を選択的に通過させて定電圧回路５６側へ出力する。
【００７０】
また、定電圧回路５６は、一端が第１電源フィルタ５４，他端が第２電源フィルタ５８に接続され、第１電源フィルタ５４側から入力した直流成分を、ブースタ４０を駆動するのに要する一定の信号レベル（本実施形態においては、直流電圧１５Ｖ）に変換した後、この信号を駆動信号として第２電源フィルタ５８側へ出力する。
【００７１】
そして、第２電源フィルタ５８は、一端が定電圧回路５６，他端が信号伝送経路２２におけるブースタ４０からハイパスフィルタ５２ａに至る経路に接続され、定電圧回路５６から入力した信号のうち、直流成分を選択的に通過させ、信号伝送経路２２を介してブースタ４０側へ出力する。
【００７２】
制御装置６０は、信号伝送経路２２の他端に接続されるものであって、直流電源６１、交流電源６２、第１電源フィルタ６３、第２電源フィルタ６４、操作部６５などにより構成される。
これらのうち、直流電源６１は、直流成分の信号を出力する電源であって、操作部６５の操作を受けて信号を出力する際の信号レベル（電圧値）を所定範囲（本実施形態においては、１から１５Ｖ）で変更可能である。なお、この直流成分は、減衰器１７に信号レベルの減衰を指令するための指令信号である。
【００７３】
また、交流電源６２は、特定周波数（本実施形態においては、５０ｋＨｚ）の低周波成分からなる信号を出力する電源であって、操作部６５の操作を受けて信号を出力する際の信号レベル（電圧の波高値）を所定範囲（本実施形態においては、０から３０Ｖ）で変更可能である。なお、この交流成分は、移相器１３に移相を指令するための指令信号である。
【００７４】
また、第１電源フィルタ６３は、ハイパスフィルタ（ＨＰＦ）６３ａとローパスフィルタ（ＬＰＦ）６３ｂとからなるダイプレックスフィルタである。ハイパスフィルタ６３ａは、一端が交流電源６２側，他端が第２電源フィルタ６４に接続され、交流電源６２側から入力した信号のうち、交流成分を選択的に通過させて第２電源フィルタ６４側へ出力する。一方、ローパスフィルタ６３ｂは、一端が直流電源６１側，他端が第２電源フィルタ６４に接続され、直流電源６１側から入力した信号のうち、直流成分を選択的に通過させて第２電源フィルタ６４へ出力する。こうして、第１電源フィルタ６３から第２電源フィルタ６４に至る経路には、交流成分および直流成分が重畳されてなる低周波成分の指令信号が伝送される。
【００７５】
また、第２電源フィルタ６４は、ハイパスフィルタ（ＨＰＦ）６４ａとローパスフィルタ（ＬＰＦ）６４ｂとからなるダイプレックスフィルタである。ハイパスフィルタ６４ａは、信号伝送経路２２における分離用フィルタ５０からチューナ１００側の端部に至る経路中に配設され、分離用フィルタ５０側から入力した信号のうち、高周波成分を選択的に通過させてチューナ１００側へ出力する。一方、ローパスフィルタ６４ｂは、一端が信号伝送経路２２における分離用フィルタ５０からハイパスフィルタ６４ａに至る経路，他端が第１電源フィルタ６３（ハイパスフィルタ６３ａの他端側）に接続され、第１電源フィルタ６３側から入力した信号のうち、低周波成分を選択的に通過させて信号伝送経路２２を介して分離用フィルタ５０側へ出力する。こうして、信号伝送経路２２における分離用フィルタ５０からチューナ１００側の端部に至る経路には、低周波成分と高周波成分とが重畳されてなる信号が伝送される。
【００７６】
そして、操作部６５は、直流電源６１および交流電源６２により出力される信号の信号レベルをそれぞれ調整するための調整スイッチなどで構成されている。
このように構成された放送受信システム１において、アンテナ装置１０により受信される放送信号は、まず、アンテナ装置１０内で、移相器１３および第１移相器側フィルタ１４（ハイパスフィルタ１４ａ）を経たもの、および、減衰器１７および第１減衰器側フィルタ１８（ハイパスフィルタ１８ａ）を経たものが混合器１２により混合された後、重畳用フィルタ３０へ入力される。
【００７７】
次に、重畳用フィルタ３０（ハイパスフィルタ３２）を経て、ブースタ４０により信号レベルが増幅された後、分離用フィルタ５０へ入力される。
そして、分離用フィルタ５０のダイプレックスフィルタ５２（ハイパスフィルタ５２ａ）、および、制御装置６０の第２電源フィルタ６４（ハイパスフィルタ６４ａ）を経てチューナ１００へ入力される。
【００７８】
また、制御装置６０から出力される指令信号は、制御装置６０内において、直流電源６１により生成された直流成分の信号と、交流電源６２により生成された交流成分の信号とが、第１電源フィルタ６３を経て重畳された後、第２電源フィルタ６４（ローパスフィルタ６４ｂ）を経て分離用フィルタ５０へ入力される。
【００７９】
次に、分離用フィルタ５０のダイプレックスフィルタ５２（ローパスフィルタ５２ｂ）、および、重畳用フィルタ３０（ローパスフィルタ３４）を経てアンテナ装置１０へ入力される。
次に、アンテナ装置１０内において、第１移相器側フィルタ１４（ローパスフィルタ１４ｂ）および第１減衰器側フィルタ１８（ローパスフィルタ１８ｂ）それぞれを経て、第２移相器側フィルタ１５および第２減衰器側フィルタ１９それぞれへ入力される。
【００８０】
そして、第２移相器側フィルタ１５に入力された指令信号は、交流成分のみが整流平滑回路１６へ入力され、整流平滑回路１６により直流成分に変換された後、移相器１３に入力される。こうして、移相器１３は、指令信号として入力された直流成分の信号レベル（電圧値）に応じて放送信号の移相量を変更する。また、第２減衰器側フィルタ１９に入力された指令信号は、交流成分のみが減衰器１７へ入力される。こうして、減衰器１７は、指令信号として入力された直流成分の信号レベル（電圧値）に応じて放送信号の信号レベルを減衰させる。
【００８１】
また、制御装置６０から分離用フィルタ５０へ入力された指令信号は、ダイプレックスフィルタ５２だけでなく、第１電源フィルタ５４へも入力される。この第１電源フィルタ５４に入力された指令信号は、直流成分（１から１５Ｖ）のみが定電圧回路５６へ入力され、この定電圧回路５６によりブースタ４０を駆動するのに要する信号レベル（１５Ｖ）に変更された後、第２電源フィルタ５８を経てブースタ４０へ駆動信号として入力される。ブースタ４０は、こうして分離用フィルタ５０から供給される駆動信号により動作する。
【００８２】
［第１実施形態の効果］
このように構成された放送受信システム１によれば、放送信号の信号レベルを増幅するブースタ４０が、信号伝送経路２２のうちアンテナ装置１０−分離用フィルタ５０間の経路中に配設されている。この分離用フィルタ５０は、指令信号に相当する周波数成分を、迂回経路２４経由でブースタ４０を迂回させてアンテナ装置１０へ出力するため、制御装置６０から出力された指令信号を、ブースタ４０に入力することなく、確実に移相器１３および減衰器１７に供給することができる。
【００８３】
また、分離用フィルタ５０の定電圧回路５６および電源フィルタ５４，５８によって、指令信号に相当する周波数成分の一部からブースタ４０を駆動するための駆動信号を生成してブースタ４０へ供給することができる。そのため、チューナ１００側から信号伝送経路２２に駆動信号を伝送させる必要はなく、信号伝送経路２２において指令信号とブースタ４０用の駆動信号とが分離不能に混合されてしまう恐れがない。
【００８４】
これらのことから、本放送受信システム１は、信号伝送経路２２にブースタ４０が配設されているにも拘わらず、移相器１３および減衰器１７への指令信号の供給、および、ブースタ４０への駆動信号の供給を正常に行うことができる。
また、分離用フィルタ５０により分離された指令信号を、重畳用フィルタ３０から第１移相器側フィルタ１４，第１減衰器側フィルタ１８に至るまで信号伝送経路２２を含む経路に伝送させることができる。そのため、指令信号を伝送させるために信号伝送経路２２と並行して敷設する経路は、ブースタ４０を迂回できる分の迂回経路２４だけでよく、アンテナ装置１０付近まで敷設する必要がない。よって、分離用フィルタ５０の配設される位置がアンテナ装置１０から離れていたとしても、分離用フィルタ５０を配設するのに要するコストが増加することはない。
【００８５】
また、制御装置６０の操作部３５を操作して、各電源６１，６２から出力される直流成分および交流成分それぞれの信号レベルを変更することによって、移相器１３および減衰器１７それぞれによるパラメータ（移相量、減衰量）を変更することができ、これにより、チューナ１００側による受信状況を改善させることができる。
【００８６】
また、移相器１３には、第１，第２移相器側フィルタ１４，１５を介して外部から入力される交流成分が、整流平滑回路１６により直流成分に変換された状態で供給される。そのため、移相器１３として、直流成分の信号レベルに応じてパラメータ（移相量）を変更するものを採用できる。
【００８７】
また、分離用フィルタ５０の第１電源フィルタ５４により信号伝送経路２２から直流成分を抽出し、この信号の信号レベルを定電圧回路５６で変換することによって駆動信号を生成することができる。
［第２実施形態］
放送受信システム２は、第１実施形態における放送受信システム１と一部構成が異なっているだけであるため、この相違点についてのみ詳述する。なお、この第２実施形態において、第１実施形態と同一の添え字の構成要素については、第１実施形態と同様の構成のものとする。
【００８８】
放送受信システム２は、図２に示すように、放送信号を受信するアンテナ装置７０、信号伝送経路２２、信号伝送経路２２中に配設された重畳用フィルタ３０，ブースタ４０および分離用フィルタ５０、制御装置６０などからなる。
アンテナ装置７０は、信号伝送経路２２の一端に接続されるものであって、二のアンテナ素子１１、混合器１２、移相器１３、自動レベル調整回路７２、分離用フィルタ７４、定電圧回路７６、昇圧回路７８などにより構成される。
【００８９】
これらのうち、移相器１３は、一方のアンテナ素子１１から混合器１２に至る経路（放送信号が伝送される経路）中に配設され、アンテナ素子１１により受信される放送信号の位相を、分離用フィルタ７４を介してアンテナ装置１０外部から入力される信号の信号レベル（本実施形態においては、２から３０Ｖ）に応じて所定範囲内で遅らせる。
【００９０】
また、自動レベル調整回路７２は、減衰器１７と比較回路７２ａとを備えている。この自動レベル調整回路７２の減衰器１７は、他方のアンテナ素子１１から混合器１２に至る経路（放送信号が伝送される経路）中に配設され、アンテナ素子１１により受信される放送信号の信号レベルを、比較回路７２ａから入力される信号の信号レベルに応じて所定範囲内で減衰させる。また、比較回路７２ａは、各アンテナ素子１１により受信された放送信号それぞれを入力し、これら放送信号における信号レベルの差に応じた信号レベルとなる直流成分（１から１５Ｖ）の信号を減衰器１７へ出力する。また、この比較回路７２ａは、後述の定電圧回路７６から入力される直流成分の駆動信号（本実施形態においては、直流電圧１５Ｖ）により動作して、両アンテナ素子１１により受信される放送信号それぞれにおける信号レベルの差が所定のレベル差（本実施形態においては、「０」）となるように減衰器１７の減衰量を制御する。
【００９１】
また、分離用フィルタ７４は、ハイパスフィルタ（ＨＰＦ）７４ａとローパスフィルタ（ＬＰＦ）７４ｂとからなるダイプレックスフィルタである。ハイパスフィルタ７４ａは、混合器１２から信号伝送経路２２に至る経路中に配設され、混合器１２側から入力した信号のうち、高周波成分を選択的に通過させて信号伝送経路２２側へ出力する。一方、ローパスフィルタ７４ｂは、一端がハイパスフィルタ７４ａから信号伝送経路２２に至る経路，他端が定電圧回路７６に接続され、信号伝送経路２２側から入力した信号のうち、低周波成分を選択的に通過させて定電圧回路７６側へ出力する。これにより、信号伝送経路２２を伝送される信号は、混合器１２からハイパスフィルタ７４ａに至る経路を伝送される高周波成分と、ローパスフィルタ７４ｂから定電圧回路７６に至る経路を伝送される低周波成分とに分離される。
【００９２】
また、定電圧回路７６は、一端が分離用フィルタ７４（ローパスフィルタ７４ｂの他端側），他端が自動レベル調整回路７２（比較回路７２ａ）に接続され、分離用フィルタ７４側から入力した信号の直流成分を、自動レベル調整回路７２（比較回路７２ａ）を駆動するのに要する一定の信号レベル（本実施形態においては、直流電圧１５Ｖ）に変換した後、この信号を駆動信号として自動レベル調整回路７２側へ出力する。
【００９３】
また、昇圧回路７８は、一端が分離用フィルタ７４（ローパスフィルタ７４ｂの他端側）から定電圧回路７６に至る経路，他端が移相器１３に接続されており、分離用フィルタ７４から入力される信号の直流成分を昇圧（本実施形態においては、電圧を２倍に昇圧）した後、この信号を移相器１３へ出力する。なお、移相器１３に入力される信号は、昇圧回路７８および分離用フィルタ７４を介してアンテナ装置７０外部から入力される信号であって、この信号は、後述のように制御装置６０により生成・出力されたものであり、信号レベルが所定範囲内（本実施形態においては、１から１５Ｖ）で変更される直流成分である。ただ、この直流成分は、その最大信号レベル（１５Ｖ）が、移相器１３が移相量を最も大きくするために必要な直流成分の信号レベル（本実施形態においては、３０Ｖ）よりも小さく、そのまま移相器１３に入力するように構成してしまうと、移相器１３による移相量を充分に変更することができない。そのため、制御装置６０により生成・出力される直流成分の最大信号レベルと、移相器１３が移相量を最も大きくするために必要な直流成分の信号レベルとが同じになるように、移相器１３により入力される信号を昇圧回路７８によって昇圧している。
【００９４】
制御装置６０は、信号伝送経路２２の他端に接続されるものであって、直流電源６１、電源フィルタ６４、操作部６５などにより構成される。
これらのうち、直流電源６１は、直流成分の信号を出力する電源であって、操作部６５による操作受けて信号を出力する際の信号レベル（電圧値）を所定範囲（本実施形態においては、１から１５Ｖ）で変更可能である。なお、この直流成分は、移相器１３に移相量の変更を指令するため、および、減衰器１７に信号レベルの減衰を指令するための指令信号である。
【００９５】
また、電源フィルタ６４は、ハイパスフィルタ６４ａとローパスフィルタ６４ｂとからなるダイプレックスフィルタである。ハイパスフィルタ６４ａは、信号伝送経路２２における分離用フィルタ５０からチューナ１００側の端部に至る経路中に配設され、分離用フィルタ５０側から入力した信号のうち、高周波成分を選択的に通過させてチューナ１００側へ出力する。一方、ローパスフィルタ６４ｂは、一端が信号伝送経路２２における分離用フィルタ５０からハイパスフィルタ６４ａに至る経路，他端が直流電源６１に接続され、直流電源６１側から入力した信号のうち、低周波成分を選択的に通過させて信号伝送経路２２を介して分離用フィルタ５０側へ出力する。こうして、信号伝送経路２２における分離用フィルタ５０からチューナ１００側の端部に至る経路には、低周波成分と高周波成分とが重畳されてなる信号が伝送される。
【００９６】
そして、操作部６５は、直流電源６１により出力される信号の信号レベルを調整するための調整スイッチなどで構成されている。
このように構成された放送受信システム２において、アンテナ装置７０により受信される放送信号は、まず、アンテナ装置７０内において、移相器１３を経たもの、および、減衰器１７を経たものが混合器１２により混合された後、分離用フィルタ７４を経て重畳用フィルタ３０へ入力される。
【００９７】
次に、重畳用フィルタ３０（ハイパスフィルタ３２）を経て、ブースタ４０により増幅された後、分離用フィルタ５０へ入力される。
そして、分離用フィルタ５０のダイプレックスフィルタ５２（ハイパスフィルタ５２ａ）、および、制御装置６０の電源フィルタ６４（ハイパスフィルタ６４ａ）を経てチューナ１００へ入力される。
【００９８】
また、制御装置６０から出力される指令信号は、制御装置６０内において、直流電源６１により生成された直流成分の信号が、電源フィルタ６４（ローパスフィルタ６４ｂ）を経て分離用フィルタ５０へ入力される。
次に、分離用フィルタ５０のダイプレックスフィルタ５２（ローパスフィルタ５２ｂ）、および、重畳用フィルタ３０（ローパスフィルタ３４）を経てアンテナ装置７０へ入力される。
【００９９】
次に、アンテナ装置７０内において、分離用フィルタ７４（ローパスフィルタ７４ｂ）および第１減衰器側フィルタ１８（ローパスフィルタ１８ｂ）それぞれを経て、定電圧回路７６および昇圧回路７８へ入力される。
そして、定電圧回路７６に入力された指令信号は、この定電圧回路７６により比較回路７２ａを駆動するのに要する信号レベル（１５Ｖ）に変換された後、比較回路７２ａへ駆動信号として入力される。こうして、比較回路７２ａは、定電圧回路７６から供給される駆動信号により動作することにより、減衰器１７による減衰量を変更する。また、昇圧回路７８へ入力された指令信号は、この昇圧回路７８により昇圧された後、移相器１３へ入力される。こうして、移相器１３は、指令信号として入力された直流成分の信号レベル（電圧値）に応じて放送信号の移相量を変更する。
【０１００】
［第２実施形態の効果］
このように構成された放送受信システム２によれば、第１実施形態と同様に、信号伝送経路２２にブースタ４０が配設されているにも拘わらず、移相器１３および減衰器１７への指令信号の供給、および、ブースタ４０への駆動信号の供給を正常に行うことができる。
【０１０１】
また、分離用フィルタ５０の配設される位置がアンテナ装置１０から離れていたとしても、分離用フィルタ５０を配設するのに要するコストが増加することはない。
また、分離用フィルタ５０の第１電源フィルタ５４により信号伝送経路２２から直流成分を抽出し、この信号の信号レベルを定電圧回路５６で変換することによって駆動信号を生成することができる。
【０１０２】
さらに、この放送受信システム２では、自動レベル調整回路７２の比較回路７２ａによって、減衰器１７による減衰量を、二のアンテナ素子１１により受信される放送信号それぞれの信号レベルの差が所定のレベル差となるよう自動的に変更することができる。減衰器１７は、二のアンテナ素子１１により受信される放送信号それぞれの信号レベルの差を、所定のレベル差とするように動作させることが一般的である。そのため、信号レベルの差を自動的に所定のレベル差に変更するように構成することによって、チューナ１００側による受信状況を改善させる際、利用者は、移相器１３側での移相関係の変更のみを行えばよくなり、受信状況を改善させるための操作を簡略化できる。
【０１０３】
［第３実施形態］
放送受信システム３は、第１実施形態における放送受信システム１と一部構成が異なっているだけであるため、この相違点についてのみ詳述する。なお、この第３実施形態において、第１実施形態と同一の添え字の構成要素については、第１実施形態と同様の構成のものとする。
【０１０４】
放送受信システム３は、図３に示すように、放送信号を受信するアンテナ装置８０、信号伝送経路２２、信号伝送経路２２中に配設された重畳用フィルタ３０，ブースタ４０および分離用フィルタ５０、放送受信システム全体の動作を制御する制御装置６０などからなる。
【０１０５】
アンテナ装置８０は、信号伝送経路２２の一端に接続されるものであって、二のアンテナ素子１１、混合器１２、移相器１３、第１移相器側フィルタ１４、第２移相器側フィルタ８２、移相器側信号処理部８４、減衰器１７、第１減衰器側フィルタ１８、第２減衰器側フィルタ８６、減衰器側信号処理部８８などにより構成される。
【０１０６】
これらのうち、移相器１３は、一方のアンテナ素子１１から混合器１２に至る経路（放送信号が伝送される経路）中に配設され、アンテナ素子１１により受信される放送信号の位相を、移相器側信号処理部８４から入力される信号の信号レベル（本実施形態においては、０から３０Ｖ）に応じて所定範囲内で遅らせる。
【０１０７】
また、第２移相器側フィルタ８２は、ハイパスフィルタ（ＨＰＦ）８２ａとローパスフィルタ（ＬＰＦ）８２ｂとからなるダイプレックスフィルタである。ハイパスフィルタ８２ａは、一端が第１移相器側フィルタ１４（ローパスフィルタ１４ｂ），他端が移相器側信号処理部８４に接続され、第１移相器側フィルタ１４側から入力した信号のうち、低周波成分に含まれるパルス成分（本実施形態においては、１０ＫＨｚ以上の成分）のみを選択的に通過させて移相器側信号処理部８４側へ出力する。一方、ローパスフィルタ８２ｂは、一端がハイパスフィルタ８２ａから第１移相器側フィルタ１４（ローパスフィルタ１４ｂ）に至る経路，他端が移相器側信号処理部８４に接続され、低周波成分に含まれる直流成分（本実施形態においては、１０ＫＨｚ以下）のみを選択的に通過させて移相器側信号処理部８４側へ出力する。
【０１０８】
また、移相器側信号処理部８４は、第２移相器側フィルタ８２（ローパスフィルタ８２ｂ）から出力された直流成分の信号を入力し、この信号を駆動信号として動作するカウンタ８４ａおよびＤＡコンバータ（ＤＡＣ：Ｄｉｇｉｔａｌ  ｔｏ  Ａｎａｌｏｇ  ｃｏｎｖｅｒｔｅｒ  ）８４ｂなどからなる。この移相器側信号処理部８４のカウンタ８４ａは、第２移相器側フィルタ８２（ハイパスフィルタ８２ａ）から出力されたパルス成分の信号を入力し、このパルス成分のパルス数を「０」から「２５５」までカウントする８ビットのリップルカウントであり、このカウント値をＤＡコンバータ８４ｂへ出力する。また、ＤＡコンバータ８４ｂは、カウンタ８４ａから入力したカウント値に応じた「２５６」段階の信号レベル（０から３０Ｖ）で直流成分の信号を移相器１３へ出力する。つまり、この移相器側信号処理部８４は、外部（第２移相器側フィルタ８２）からパルスを１個入力する毎に、移相器１３に出力する信号の信号レベルを１段階分（３０／２５５Ｖ）変更する。
【０１０９】
また、減衰器１７は、他方のアンテナ素子１１から混合器１２に至る経路（放送信号が伝送される経路）中に配設され、アンテナ素子１１により受信される放送信号の信号レベルを、減衰器側信号処理部８８から入力される信号の信号レベル（本実施形態においては、１から１５Ｖ）に応じて所定範囲内で減衰させる。
【０１１０】
また、第２減衰器側フィルタ８６は、ハイパスフィルタ（ＨＰＦ）８６ａとローパスフィルタ（ＬＰＦ）８６ｂとからなるダイプレックスフィルタである。ハイパスフィルタ８６ａは、一端が第１減衰器側フィルタ１８（ローパスフィルタ１８ｂ），他端が減衰器側信号処理部８８に接続されており、第１減衰器側フィルタ１８側から入力した信号のうち、低周波成分に含まれるパルス成分（本実施形態においては、１０ＫＨｚ以上）のみを選択的に通過させて減衰器側信号処理部８８側へ出力する。一方、ローパスフィルタ８６ｂは、一端がハイパスフィルタ８６ａから第１減衰器側フィルタ１８（ローパスフィルタ１８ｂ）に至る経路，他端が減衰器側信号処理部８８に接続され、低周波成分に含まれる直流成分（本実施形態においては、１０ＫＨｚ以下）のみを選択的に通過させて減衰器側信号処理部８８側へ出力する。
【０１１１】
また、減衰器側信号処理部８８は、第２減衰器側フィルタ８６（ローパスフィルタ８６ｂ）から出力された直流成分の信号を入力し、この信号を駆動信号として動作する第１カウンタ８８ａ、多入力ＡＮＤ（論理積）回路８８ｂ、第２カウンタ８８ｃおよびＤＡコンバータ（ＤＡＣ）８８ｄなどからなる。この減衰器側信号処理部８８の第１カウンタ８８ａは、第２減衰器側フィルタ８６（ハイパスフィルタ８６ａ）から出力されたパルス成分の信号を入力し、このパルス成分のパルス数を「０」から「２５５」までカウントする８ビットのリップルカウンタであって、このカウント値を多入力ＡＮＤ回路８８ｂへ出力する。また、多入力ＡＮＤ回路８８ｂは、第１カウンタ８８ａにより入力されたカウント値が最大値（２５５）となったときに１のパルスからなるパルス成分の信号を第２カウンタ８８ｃへ出力する。また、第２カウンタ８８ｃは、多入力ＡＮＤ回路８８ｂにより入力されたパルス成分のパルス数を「０」から「１５」までカウントする４ビットのリップルカウンタであって、このカウント値をＤＡコンバータ８８ｄへ出力する。また、ＤＡコンバータ８８ｄは、第２カウンタ８８ｃから入力したカウント値に応じた「１６」段階の信号レベル（０から１５Ｖ）で直流成分の信号を移相器１３へ出力する。つまり、この減衰器側信号処理部８８は、外部（第２減衰器側フィルタ８６）からパルスを２５６個入力する毎に、減衰器１７に出力する信号の信号レベルを１段階分（１５／１５Ｖ）変更する。
【０１１２】
制御装置６０は、信号伝送経路２２の他端に接続されるものであって、直流電源６１、交流電源６２、第１電源フィルタ６３、第２電源フィルタ６４などにより構成される。
これらのうち、直流電源６１は、直流成分の信号を特定の信号レベル（本実施形態においては、３０Ｖ）で出力する電源である。
【０１１３】
また、交流電源６２は、操作部６５による操作（後述する出力スイッチの押下）を受けている間のみ、特定周波数（本実施形態においては、５０ｋＨｚ）のパルス成分からなる信号を出力する電源である。なお、この交流成分は、移相器１３および減衰器１７にパラメータ（移相量、減衰量）の変更を指令するための指令信号である。
【０１１４】
そして、操作部６５は、直流電源６１および交流電源６２に信号の出力を指令するための出力スイッチなどで構成されている。
このように構成された放送受信システム３において、制御装置６０から出力される指令信号は、制御装置６０内において、直流電源６１により生成された直流成分の信号と、交流電源６２により生成された交流成分の信号とが、第１電源フィルタ６３を経て重畳された後、第２電源フィルタ６４（ローパスフィルタ６４ｂ）を経て分離用フィルタ５０へ入力される。
【０１１５】
次に、分離用フィルタ５０のダイプレックスフィルタ５２（ローパスフィルタ５２ｂ）、および、重畳用フィルタ３０（ローパスフィルタ３４）を経てアンテナ装置８０へ入力される。
次に、アンテナ装置８０内において、第１移相器側フィルタ１４（ローパスフィルタ１４ｂ）および第１減衰器側フィルタ１８（ローパスフィルタ１８ｂ）それぞれを経て、第２移相器側フィルタ８２および第２減衰器側フィルタ８６へ入力される。
【０１１６】
そして、第２移相器側フィルタ８２に入力された指令信号は、直流成分およびパルス成分それぞれが移相器側信号処理部８４へ入力される。こうして、移相器側信号処理部８４は、パルス成分におけるパルス数のカウント値に応じた直流成分を移相器１３へ出力することにより、移相器１３による移相量を変更する。また、第２減衰器側フィルタ８６に入力された指令信号は、直流成分およびパルス成分それぞれが減衰器側信号処理部８８へ入力される。こうして、減衰器側信号処理部８８は、パルス成分におけるパルス数のカウント値に応じた直流成分を減衰器１７へ出力することにより、減衰器１７による減衰量を変更する。
【０１１７】
［第３実施形態の効果］
このように構成された放送受信システム３によれば、第１実施形態と同様に、信号伝送経路２２にブースタ４０が配設されているにも拘わらず、移相器１３および減衰器１７への指令信号の供給、および、ブースタ４０への駆動信号の供給を正常に行うことができる。
【０１１８】
また、分離用フィルタ５０の配設される位置がアンテナ装置１０から離れていたとしても、分離用フィルタ５０を配設するのに要するコストが増加することはない。
また、分離用フィルタ５０の第１電源フィルタ５４により信号伝送経路２２から直流成分を抽出し、この信号の信号レベルを定電圧回路５６で変換することによって駆動信号を生成することができる。
【０１１９】
さらに、この放送受信システム３では、第２移相器側フィルタ８２，第２減衰器側フィルタ８６から各信号処理部８４，８８にそれぞれ入力されるパルス数が「０」から「２５５×１５」になるまでに、減衰器側信号処理部８８から減衰器１７に出力される直流成分は所定範囲（１から１５Ｖ）の変化を一回行うのに対し、移相器側信号処理部８４から移相器１３に出力される直流成分は所定範囲（１から３０Ｖ）の変化を１６回行う。つまり、減衰器１７に出力される直流成分の信号レベルが下限（１Ｖ）から上限（１５Ｖ）まで変化する間を１５分割した各レベルそれぞれについて、移相器１３に出力される直流成分の信号レベルを下限（１Ｖ）から上限（３０Ｖ）まで変化させることができる。
【０１２０】
これにより、パルス数が「２５５×１５」に到達するまでに、移相器１３および減衰器１７それぞれが下限から上限に至る間に変更する各パラメータ（移相量、減衰量）の組合せ「２５５×１５」種類を全て実現することができる。各信号処理部８２，８８によりカウントされるパルス数は、制御装置６０の操作部６５を操作している間だけ出力されるパルス成分に基づくものであるため、利用者は、制御装置６０の操作部６５を操作し続けることにより、移相器１３および減衰器１７それぞれによるパラメータを順次変更していき、チューナ１００側による受信状況が改善されたと感じたときに、操作を終了するといった簡単な操作手順で、チューナ１００側による受信状況を改善させることができる。
【０１２１】
［第４実施形態］
放送受信システム４は、第１実施形態における放送受信システム１と一部構成が異なっているだけであるため、この相違点についてのみ詳述する。なお、この第４実施形態において、第１実施形態と同一の添え字の構成要素については、第１実施形態と同様の構成のものとする。
【０１２２】
この放送受信システム４は、図４に示すように、放送信号を受信するアンテナ装置９０、信号伝送経路２２、重畳用フィルタ３０，ブースタ４０、分離用フィルタ５０、制御装置６０などからなる。
アンテナ装置９０は、信号伝送経路２２の一端に接続されるものであって、二のアンテナ素子１１、混合器１２、移相器１３、分離用フィルタ９２、定電圧回路９４、信号処理部９６、昇圧回路９８などにより構成される。
【０１２３】
これらのうち、移相器１３は、一方のアンテナ素子１１から混合器１２に至る経路（放送信号が伝送される経路）中に配設され、アンテナ素子１１により受信される放送信号の位相を、昇圧回路９８から入力される信号の信号レベル（本実施形態においては、２から３０Ｖ）に応じて所定範囲内で遅らせる。
【０１２４】
また、減衰器１７は、他方のアンテナ素子１１から混合器１２に至る経路（放送信号が伝送される経路）中に配設され、アンテナ素子１１により受信される放送信号の信号レベルを、信号処理部９６から入力される信号の信号レベル（本実施形態においては、１５から０Ｖ）に応じて所定範囲内（本実施形態においては、０から１０ｄＢまで）で減衰させる。
【０１２５】
また、分離用フィルタ９２は、ハイパスフィルタ（ＨＰＦ）９２ａとローパスフィルタ（ＬＰＦ）９２ｂとからなるダイプレックスフィルタである。ハイパスフィルタ９２ａは、混合器１２から信号伝送経路２２に至る経路中に配設され、混合器１２側から入力した信号のうち、高周波成分を選択的に通過させて信号伝送経路２２側へ出力する。一方、ローパスフィルタ９２ｂは、一端がハイパスフィルタ９２ａから信号伝送経路２２に至る経路，他端が定電圧回路９４に接続され、信号伝送経路２２側から入力した信号のうち、低周波成分を選択的に通過させて定電圧回路９４側へ出力する。これにより、信号伝送経路２２を伝送される信号は、混合器１２からハイパスフィルタ９２ａに至る経路を伝送される高周波成分と、ローパスフィルタ９２ｂから定電圧回路９４に至る経路を伝送される低周波成分とに分離される。
【０１２６】
また、定電圧回路９４は、一端が分離用フィルタ９２（ローパスフィルタ９２ｂの他端側），他端が信号処理部９６に接続され、分離用フィルタ９２側から入力した信号の直流成分を、信号処理部９６を駆動するのに要する一定の信号レベル（本実施形態においては、直流電圧１５Ｖ）に変換した後、この信号を駆動信号として信号処理部９６側へ出力する。
【０１２７】
また、信号処理部９６は、分離用フィルタ９２（ローパスフィルタ９２ｂ）から出力された直流成分の信号を入力し、この信号に基づいて、後述のパラメータ変更処理（図６）を実行することにより減衰器１７によるパラメータの変更を指令する。
【０１２８】
そして、昇圧回路９８は、第２実施形態における昇圧回路７８と同様のものであって、一端が分離用フィルタ９２（ローパスフィルタ９２ｂの他端側）から定電圧回路９４に至る経路，他端が移相器１３に接続されており、分離用フィルタ９２から入力される信号の直流成分を昇圧（本実施形態においては、電圧を２倍に昇圧）した後、この信号を移相器１３へ出力する。なお、この昇圧回路９８は、第２実施形態と同様に、制御装置６０により生成・出力される直流成分の最大信号レベルと、移相器１３が移相量を最も大きくするために必要な直流成分の信号レベルとが同じになるように、移相器１３により入力される信号を昇圧している。
【０１２９】
制御装置６０は、直流電源６１、電源フィルタ６４、操作部６５などにより構成される。
これらのうち、直流電源６１は、直流成分の信号を出力する電源であって、操作部６５による操作受けて信号を出力する際の信号レベル（電圧値）を所定範囲（本実施形態においては、１から１５Ｖ）で変更可能である。なお、この直流成分は、移相器１３に移相量の変更を指令するため、および、減衰器１７に信号レベルの減衰を指令するための指令信号である。
【０１３０】
また、電源フィルタ６４は、ハイパスフィルタ６４ａとローパスフィルタ６４ｂとからなるダイプレックスフィルタである。ハイパスフィルタ６４ａは、信号伝送経路２２における分離用フィルタ５０からチューナ１００側の端部に至る経路中に配設され、分離用フィルタ５０側から入力した信号のうち、高周波成分を選択的に通過させてチューナ１００側へ出力する。一方、ローパスフィルタ６４ｂは、一端が信号伝送経路２２における分離用フィルタ５０からハイパスフィルタ６４ａに至る経路，他端が直流電源６１に接続され、直流電源６１側から入力した信号のうち、低周波成分を選択的に通過させて信号伝送経路２２を介して分離用フィルタ５０側へ出力する。こうして、信号伝送経路２２における分離用フィルタ５０からチューナ１００側の端部に至る経路には、低周波成分と高周波成分とが重畳されてなる信号が伝送される。
【０１３１】
そして、操作部６５は、直流電源６１により出力される信号の信号レベルを調整するための調整ノブからなるものである。この調整ノブは、その回転量に応じて直流電源６１により出力される直流成分の信号レベルを１から１５Ｖの間で変更させることができるように構成されている。なお、この調整ノブの回転量が３６０度の整数倍となったとき、直流電源６１は信号レベルを１から１５Ｖまたは１５から１Ｖに変更する（図５参照）。
【０１３２】
このように構成された放送受信システム１において、アンテナ装置９０により受信される放送信号は、まず、アンテナ装置９０内において、移相器１３を経たもの、および、減衰器１７を経たものが混合器１２により混合された後、分離用フィルタ９２を経て重畳用フィルタ３０へ入力される。
次に、重畳用フィルタ３０（ハイパスフィルタ３２）を経て、ブースタ４０により増幅された後、分離用フィルタ５０へ入力される。
【０１３３】
そして、分離用フィルタ５０のダイプレックスフィルタ５２（ハイパスフィルタ５２ａ）、および、制御装置６０の電源フィルタ６４（ハイパスフィルタ６４ａ）を経てチューナ１００へ入力される。
また、制御装置６０から出力される指令信号は、制御装置６０内において、直流電源６１により生成された直流成分の信号が、電源フィルタ６４（ローパスフィルタ６４ｂ）を経て分離用フィルタ５０へ入力される。
次に、分離用フィルタ５０のダイプレックスフィルタ５２（ローパスフィルタ５２ｂ）、および、重畳用フィルタ３０（ローパスフィルタ３４）を経てアンテナ装置９０へ入力される。
【０１３４】
次に、アンテナ装置９０内において、分離用フィルタ９２（ローパスフィルタ９２ｂ）を経て、定電圧回路９４，信号処理部９６および昇圧回路９８へ入力される。
そして、定電圧回路９４に入力された指令信号は、この定電圧回路９４により信号処理部９６を駆動するのに要する信号レベル（１５Ｖ）に変換された後、信号処理部９６へ駆動信号として入力される。こうして、信号処理部９６は、定電圧回路９４から供給される駆動信号で動作して後述のパラメータ変更処理（図６）を実行することにより、減衰器１７による減衰量を変更する。また、昇圧回路９８へ入力された指令信号は、この昇圧回路９８により昇圧された後、移相器１３へ入力される。こうして、移相器１３は、指令信号として入力された直流成分の信号レベル（電圧値）に応じて放送信号の移相量を変更する。
○信号処理部９６によるパラメータ変更処理
以下に、信号処理部９６により実行されるパラメータ変更処理の処理手順を、図６に基づいて説明する。このパラメータ変更処理は、放送受信システム４が起動された以降、繰り返し実行される。
【０１３５】
まず、変数Ｎ，Ｍを初期化する（ｓ１１０）。この処理では、変数Ｎ，Ｍそれぞれに「０」をセット（０→Ｎ，０→Ｍ）する。この変数Ｎは、以降の処理（ｓ１５０，ｓ２１０の処理）で、操作部３５の調整ノブが正方向（図５における右方向）へ回転した回転数を示す値がセットされる変数である。また、変数Ｍは、以降の処理（ｓ２００の処理）で分離用フィルタ９２から入力された直流成分の信号レベル（以降、入力レベルとする）を示す値がセットされる変数である。なお、以降に記載の「ｎ，ｍ」は変数Ｎ，Ｍにセットされた値を示すものとする。
【０１３６】
次に、減衰器１７に対して上限となる信号レベルＬｍａｘ（本実施形態においては、１５Ｖ）の信号を出力する（ｓ１２０）。
次に、分離用フィルタ９２から入力される直流成分の信号レベルＬ１をチェックする（ｓ１３０）。
【０１３７】
次に、ｓ１３０の処理でチェックされた信号レベルＬ１と、変数Ｍにセットされた値ｍとの差を示す値（｜ｍ−Ｌ１｜）が、所定のレベルＬｔｈ（例えば、１０Ｖ）以上（Ｌｔｈ≦｜ｍ−Ｌ１｜）となるまで待機する（ｓ１４０：ＮＯ）。変数Ｍにセットされた値ｍは、直前に行われた本パラメータ変更処理（ｓ２００の処理）で入力レベルを示す値がセットされている。そのため、この値ｍとｓ１３０の処理でチェックされた信号レベルＬ１との差が所定のレベルＬｔｈ以上である状態は、入力レベルが急激に変化した状態、つまり、制御装置６０側において操作部３５の調整ノブの回転量が３６０度の整数倍となり指令信号の信号レベルが上限から下限（１５から１Ｖ）または下限から上限（１から１５Ｖ）へ変化したことを示している。よって、このｓ１４０の処理では、変数Ｍの値ｍと信号レベルＬ１との差をチェックすることにより、調整ノブの回転量が３６０度の整数倍となったかどうかをチェックしていることになる。
【０１３８】
このｓ１４０の処理で、所定のレベル以上の差を有している場合（ｓ１４０：ＹＥＳ）、この差を示す値（ｍ−Ｌ１）が正の値であるか（０＜ｍ−Ｌ１）どうかをチェックする（ｓ１５０）。この値「ｍ−Ｌ１」は、調整ノブの回転量が正方向に変化して３６０度の整数倍に到達、つまり、正方向に一回転したとき正の値となり、負方向（図５における左方向）に変化して３６０度の整数倍に到達、つまり、負方向に一回転したとき負の値となる。そのため、このｓ１５０の処理では、上述の差を示す値「ｍ−Ｌ１」が正の値かどうかをチェックすることにより、調整ノブの回転量が正負いずれの方向に一回転したかどうかをチェックしていることになる。
【０１３９】
このｓ１５０の処理で、差を示す値「ｍ−Ｌ１」が正の値であれば（ｓ１５０：ＹＥＳ）、変数Ｎに「１」を加算（ｎ＋１→Ｎ）する（ｓ１６０）。こうして、調整ノブが正方向に一回転する毎に変数Ｎに「１」が加算される。
次に、減衰器１７へ出力すべき信号の信号レベルＬＡを決定する（ｓ１７０）。この処理では、減衰器１７へ出力すべき信号の信号レベルを上限（１５Ｖ）から下限（本実施形態においては、０Ｖ）まで何段階に分けて変更するかを示すステップ数ｓ、減衰器１７へ出力すべき信号レベルの上限レベルＬｍａｘ、および、変数Ｎの値ｎに基づく式「ＬＡ＝（ｓ−ｎ）×（Ｌｍａｘ／ｓ）」により信号レベルＬＡを決定する。
【０１４０】
次に、ｓ１７０の処理で決定された信号レベルによる信号の減衰器１７への出力を開始する（ｓ１８０）。こうして、減衰器１７は、信号処理部９６により出力された信号の信号レベルＬＡに応じて減衰量を変更させる。なお、このｓ１８０の処理が、本パラメータ変更処理が開始されてから２回目以降に行われる場合には、減衰器１７に出力されている信号の信号レベルがｓ１８０の処理で決定された信号レベルに変更される。
【０１４１】
そして、変数Ｎの値ｎが上述のステップ数ｓに到達しているか（ｓ≦ｎ）どうかをチェックする（ｓ１９０）。
このｓ１９０の処理で、変数の値ｎがステップ数ｓに到達していなければ（ｓ１９０：ＮＯ）、変数Ｍにｓ１３０の処理でチェックされた信号レベルＬ１を示す値をセット（Ｌ１→Ｍ）した後（ｓ２００）、ｓ１３０の処理へ戻る。
【０１４２】
一方、ｓ１９０の処理で、変数の値ｎがステップ数ｓに到達していれば（ｓ１９０：ＹＥＳ）、ｓ１１０の処理へ戻る。
また、ｓ１５０の処理で、差を示す値「ｍ−Ｌ１」が負の値であれば（ｓ１５０：ＮＯ）、変数Ｎから「１」を減算（ｎ−１→Ｎ）する（ｓ２１０）。こうして、調整ノブが負方向に一回転する毎に変数Ｎから「１」が減算される。
【０１４３】
次に、減衰器１７へ出力すべき信号の信号レベルＬＡを決定する（ｓ２２０）。この処理では、ｓ１７０の処理と同様に、式「ＬＡ＝（ｓ−ｎ）×（Ｌｍａｘ／ｓ）」により信号レベルＬＡを決定する。
そして、ｓ２２０の処理で決定された信号レベルによる信号の減衰器１７への出力を開始する（ｓ２３０）。この処理は、ｓ１８０の処理と同様の処理である。
【０１４４】
こうして、ｓ２３０の処理を終えた後、ｓ１３０の処理へ戻る。
なお、図５に、上述したステップ数ｓを「１０」としたときにおける信号レベルＬＡ、つまり、減衰器１７への出力信号の信号レベルの変移を例示する。この場合、信号レベルＬＡは、変数Ｎの値ｎが増加する毎に、上限となる信号レベル「Ｌｍａｘ（１５Ｖ）」から「０」まで「Ｌｍａｘ／１０（本実施形態においては、１５／１０＝１．５Ｖ）」ずつ減少した後、再び「Ｌｍａｘ」に戻る。
［第４実施形態の効果］
このように構成された放送受信システム４によれば、第１実施形態と同様に、信号伝送経路２２にブースタ４０が配設されているにも拘わらず、移相器１３および減衰器１７への指令信号の供給、および、ブースタ４０への駆動信号の供給を正常に行うことができる。
【０１４５】
また、分離用フィルタ５０の配設される位置がアンテナ装置１０から離れていたとしても、分離用フィルタ５０を配設するのに要するコストが増加することはない。
また、分離用フィルタ５０の第１電源フィルタ５４により信号伝送経路２２から直流成分を抽出し、この信号の信号レベルを定電圧回路５６で変換することによって駆動信号を生成することができる。
【０１４６】
さらに、この放送受信システム４では、減衰器１７に出力される直流成分の信号レベルは、制御装置６０により出力される直流成分の信号レベルが下限（１Ｖ）から上限（１５Ｖ）または上限から下限まで変更された変更回数、つまり、操作部３５の調整ノブが正方向に回転した回転数に応じて変更される（図６におけるｓ１８０，ｓ２３０の処理）。また、移相器１３に出力される直流成分の信号レベルは、制御装置６０により出力される直流成分の信号レベルに応じて変更される。つまり、減衰器１７に出力される直流成分が所定回数（ステップ数ｓ）変化するまでの各ステップ（０からｓステップ）それぞれについて、移相器１３に出力される直流成分の信号レベルを下限から上限または上限から下限まで変化させることができる。
【０１４７】
これにより、制御装置６０により供給される直流成分の信号レベルが、下限から上限または上限から下限に所定回数（ｓ回）変更されるまでに、移相器１３および減衰器１７それぞれが下限から上限または上限から下限に至る間に変更される各パラメータの組合せを全て実現することができる。
【０１４８】
また、図６におけるｓ１６０，ｓ２１０の処理では、変数Ｎにより制御装置６０の調整ノブが正方向に回転された回転数がカウントされ、この回転数に応じた出力レベルの信号が減衰器１７に出力されるため、利用者は、調整ノブを回し続けることにより、移相器１３および減衰器１７それぞれによるパラメータを順次変更していき、チューナ１００側による受信状況が改善されたと感じたときに、調整ノブの操作を終了するといった簡単な操作手順で、チューナ１００側による受信状況を改善させることができる。
【０１４９】
また、昇圧回路９８によって、移相器１３へ出力される直流成分の信号レベルを、分離用フィルタ９２から入力される信号レベルを２倍に昇圧した信号レベルとすることができる。ここで、昇圧回路９８から移相器１３へ出力される信号ｄｃ２は、図７に示すように、分離用フィルタ９２から入力される直流成分ｄｃ１を２倍に昇圧した信号となる。
【０１５０】
［変形例］
以上、本発明の実施形態について説明したが、本発明は上記の具体的な実施形態に限定されず、このほかにも様々な形態で実施することができる。
例えば、上記実施形態においては、移相器１３および減衰器１７がそれぞれ異なるアンテナ素子１１側に配設されたものを例示した。しかし、移相器１３および減衰器１７は、同一のアンテナ素子１１側に配設してもよい。
【０１５１】
また、上記第１実施形態において、移相器１３には、第１，第２移相器側フィルタ１４，１５を介してアンテナ装置１０外部から入力される交流成分の指令信号が、整流平滑回路１６により直流成分に変換した後で供給され、一方、減衰器１７には、第１，第２減衰器側フィルタ１８，１９を介してアンテナ装置１０外部から入力される直流成分の指令信号が供給されるように構成されたものを例示した。しかし、移相器１３に直流成分の指令信号が供給され、減衰器１７に整流平滑回路１６により変換された直流成分が供給されるように構成してもよい。
【０１５２】
また、上記第１実施形態においては、アンテナ装置１０、重畳用フィルタ３０、ブースタ４０、分離用フィルタ５０が、それぞれ別体の装置として構成されているものを例示した。しかし、これらの構成要素のうちいくつかを一体の装置として構成してもよい。特に、図８に示す放送受信システム５のように、上述した全ての構成要素を一体の装置とした場合、アンテナ装置１０における第１移相器側フィルタ１４，第１減衰器側フィルタ１８、および、重畳用フィルタ３０として機能する構成を備えていなくても放送受信システム１と同様に機能するため、放送受信システムの構成を単純化することができる。
【０１５３】
また、上記第２実施形態においては、移相器１３に昇圧回路７８により昇圧された信号が入力されるように構成されたものを例示した。しかし、制御装置６０から出力される直流成分の最大信号レベルを、移相器１３が移相量を最も大きくするために必要な直流成分の信号レベルと同一レベル（３０Ｖ）にしておき、昇圧回路７８を設けないように構成することもできる。
【０１５４】
また、上記第２実施形態においては、アンテナ装置７０、重畳用フィルタ３０、ブースタ４０、分離用フィルタ５０が、それぞれ別体の装置として構成されているものを例示した。しかし、これらの構成要素のうちいくつかを一体の装置として構成してもよい。特に、図９に示す放送受信システム６のように、上述した全ての構成要素を一体の装置とした場合、アンテナ装置７０における分離用フィルタ７４，および、重畳用フィルタ３０として機能する構成を備えていなくても放送受信システム２と同様に機能するため、放送受信システムの構成を単純化することができる。
【０１５５】
また、上記第３実施形態においては、各信号処理部８２，８８が、パルスの数を「０」から「２５５，２５５×１５」までカウントするように構成されたものを例示した。しかし、各信号処理部８２，８８は、いずれか一方によるカウント値の最大値ｎが、他方によるカウント値の最大値ｎの整数倍（ｎ×ｍ）となるように構成すればよく、その具体的なカウント値の最大値は特に限定されない。
【０１５６】
また、上記第３実施形態においては、アンテナ装置８０、重畳用フィルタ３０、ブースタ４０、分離用フィルタ５０が、それぞれ別体の装置として構成されているものを例示した。しかし、これらの構成要素のうちいくつかを一体の装置として構成してもよい。特に、図１０に示す放送受信システム７のように、上述した全ての構成要素を一体の装置とした場合、アンテナ装置８０における第１移相器側フィルタ１４，第１減衰器側フィルタ１８、および、重畳用フィルタ３０として機能する構成を備えていなくても放送受信システム１と同様に機能するため、放送受信システムの構成を単純化することができる。
【０１５７】
また、上記第３実施形態においては、各信号処理部８４，８８が、第２移相器側フィルタ８２，第２減衰器側フィルタ８６により出力される信号それぞれに基づいて動作するように構成されたものを例示した。しかし、各信号処理部８４，８８は、それぞれが、第２移相器側フィルタ８２および第２減衰器側フィルタ８６のいずれか一方により出力される信号に基づいて動作するように構成してもよい。この場合、第２移相器側フィルタ８２および第２減衰器側フィルタ８６のいずれか一方が必要なくなるため、放送受信システム３の構成を単純化することができる。
【０１５８】
また、上記第４実施形態においては、昇圧回路９８により移相器１３が制御され、信号処理部９６により減衰器１７が制御されるように構成されたものを例示した。しかし、昇圧回路９８により減衰器１７が制御され、信号処理部９６により移相器１３が制御されるように構成してもよい。
【０１５９】
また、上記第４実施形態において、信号処理部９６を、分離用フィルタ９２から出力される直流成分に基づいて、減衰器１７を制御するための信号だけでなく、直流成分に応じた信号レベルの信号を生成するように構成し、この信号により移相器１３による移相量が制御されるように構成してもよい。
【０１６０】
また、上記第４実施形態においては、移相器１３に昇圧回路９８により昇圧された信号が入力されるように構成されたものを例示した。しかし、制御装置６０から出力される直流成分の最大信号レベルを、移相器１３が移相量を最も大きくするために必要な直流成分の信号レベルと同一レベル（３０Ｖ）にしておき、昇圧回路９８を設けないように構成してもよい。
【０１６１】
また、上記第４実施形態においては、アンテナ装置９０、重畳用フィルタ３０、ブースタ４０、分離用フィルタ５０が、それぞれ別体の装置として構成されているものを例示した。しかし、これらの構成要素のうちいくつかを一体の装置として構成してもよい。特に、図１１に示す放送受信システム８のように、上述した全ての構成要素を一体の装置とした場合、アンテナ装置９０における分離用フィルタ９２、および、重畳用フィルタ３０として機能する構成を備えていなくても放送受信システム４と同様に機能するため、放送受信システムの構成を単純化することができる。
【０１６２】
［本発明との対応関係］
以上説明した実施形態において、二のアンテナ素子１１および混合器１２からなる構成は、本発明におけるアンテナ部である。
また、放送受信システム１において、アンテナ装置１０の移相器１３および整流平滑回路１６からなる構成は本発明における移相変更部、減衰器１７は本発明におけるレベル変更部、第１移相器側フィルタ１４および第１減衰器側フィルタ１８は本発明における第３フィルタ部、第１，第２移相器側フィルタ１４，１５および第１，第２減衰器側フィルタ１８，１９は本発明における信号供給部である。また、重畳用フィルタ３０は本発明における第２フィルタ部である。また、ブースタ４０は本発明における信号増幅部である。また、分離用フィルタ５０のダイプレックスフィルタ５２は本発明における第１フィルタ部、第１電源フィルタ５４および定電圧回路５６は本発明における増幅駆動部である。また、制御装置６０は本発明における指令信号出力部である。
【０１６３】
また、放送受信システム２において、アンテナ装置７０の移相器１３は本発明における移相変更部、比較回路７２ａは本発明におけるレベル変更指令部、分離用フィルタ７４は本発明における第３フィルタ、分離用フィルタ７４，昇圧回路７８および定電圧回路７６は信号供給部、定電圧回路７６は本発明におけるレベル変更駆動部である。
【０１６４】
また、放送受信システム３において、アンテナ装置８０の移相器１３は本発明における移相変更部、第１，第２移相器側フィルタ１４，８２および第１，第２減衰器側フィルタ１８，８６は本発明における信号供給部、移相器側信号処理部８４および減衰器側信号処理部８８は本発明における第１パルスカウント部または第２パルスカウント部である。
【０１６５】
また、上記実施形態において、アンテナ装置１０（または、７０，８０），重畳用フィルタ３０，ブースタ４０および分離用フィルタ５０からなる構成は、本発明における受信特性調整装置である。また、重畳用フィルタ３０，ブースタ４０および分離用フィルタ５０からなる構成は、本発明における受信特性調整装置である。また、制御装置６０は、本発明における受信特性調整装置である。
【０１６６】
また、放送受信システム４において、アンテナ装置９０の移相器１３は本発明における移相変更部、分離用フィルタ９２は本発明における第３フィルタ、分離用フィルタ９２，昇圧回路９８および定電圧回路９４は信号供給部、定電圧回路９４は本発明におけるカウント駆動部、信号処理部９６は本発明における変更カウント部、昇圧回路９８は本発明における直流成分変更部である。
【０１６７】
また、昇圧回路９８から移相器１３へ入力される直流成分における信号レベルの下限値（２Ｖ）は、本発明における第５レベルであり、同信号レベルの上限値（３０Ｖ）は、本発明における第６レベルである。ここで、昇圧回路９８は、分離用フィルタ９２から入力した直流成分の信号レベル（１から１５Ｖ）に応じた信号レベルの信号として、この入力した直流成分を２倍に昇圧した直流成分を出力している。
【０１６８】
また、分離用フィルタ９２から信号処理部９６へ入力される直流成分における信号レベルの下限値（１Ｖ）は、本発明における第１レベルであり、同信号レベルの上限値（１５Ｖ）は、本発明における第２レベルである。また、信号処理部９６から減衰器１７へ入力される直流成分における信号成分の下限値（０Ｖ）は、本発明における第３レベルであり、同信号成分の上限値Ｌｍａｘ（１５Ｖ）は、本発明における第４レベルである。ここで、信号処理部９６は、分離用フィルタ９２から入力される直流成分の信号レベルが下限値から上限値まで「ｓ」回変化するまでの間に、減衰器１７へ出力する直流成分の信号レベルを「Ｌｍａｘ」から「０」まで変化させる。
【図面の簡単な説明】
【図１】第１実施形態における放送受信システムの制御系統を示すブロック図
【図２】第２実施形態における放送受信システムの制御系統を示すブロック図
【図３】第３実施形態における放送受信システムの制御系統を示すブロック図
【図４】第４実施形態における放送受信システムの制御系統を示すブロック図
【図５】第４実施形態における制御装置による出力信号における信号レベルの変移、および、アンテナ装置の信号処理部による出力信号における信号レベルの変移を示す図
【図６】第４実施形態における信号処理部により実行されるパラメータ変更処理の処理手順を示すフローチャート
【図７】第４実施形態における制御装置による出力信号における信号レベルの変移、および、アンテナ装置の昇圧回路９８による出力信号における信号レベルの変移を示す図
【図８】別の実施形態における放送受信システムの制御系統を示すブロック図
【図９】別の実施形態における放送受信システムの制御系統を示すブロック図
【図１０】別の実施形態における放送受信システムの制御系統を示すブロック図
【図１１】別の実施形態における放送受信システムの制御系統を示すブロック図
【符号の説明】
１，２，３，４・・・放送受信システム、１０・・・アンテナ装置、１１・・・アンテナ素子、１２・・・混合器、１３・・・移相器、１４・・・第１移相器側フィルタ、１５・・・第２移相器側フィルタ、１６・・・整流平滑回路、１７・・・減衰器、１８・・・第１減衰器側フィルタ、１９・・・第２減衰器側フィルタ、２２・・・信号伝送経路、２４・・・迂回経路、３０・・・重畳用フィルタ、３２・・・ハイパスフィルタ、３４・・・ローパスフィルタ、４０・・・ブースタ、５０・・・分離用フィルタ、５２・・・ダイプレックスフィルタ、５４・・・第１電源フィルタ、５６・・・定電圧回路、５８・・・第２電源フィルタ、６０・・・制御装置、６１・・・直流電源、６２・・・交流電源、６３・・・第１電源フィルタ、６４・・・第２電源フィルタ、６５・・・操作部、７０・・・アンテナ装置、７２・・・自動レベル調整回路、７４・・・分離用フィルタ、７６・・・定電圧回路、７８・・・昇圧回路、８０・・・アンテナ装置、８２・・・第２移相器側フィルタ、８４・・・移相器側信号処理部、８６・・・第２減衰器側フィルタ、８８・・・減衰器側信号処理部、９０・・・アンテナ部、９２・・・信号処理部、９４・・・定電圧回路、９６・・・信号処理部、９８・・・昇圧回路
【図１】
2004304329.tif 000003
【図２】
2004304329.tif 000004
【図３】
2004304329.tif 000005
【図４】
2004304329.tif 000006
【図５】
2004304329.tif 000007
【図６】
2004304329.tif 000008
【図７】
2004304329.tif 000009
【図８】
2004304329.tif 000010
【図９】
2004304329.tif 000011
【図１０】
2004304329.tif 000012
【図１１】
2004304329.tif 000013